(57)【要約】  本発明は、移動端末機の待機状態での方法及び装置に関する。第１実施例は、移動端末機の待機状態でメッセージを表示する方法及び装置に関する。第２実施例は、移動端末機で待機状態用アプリケーションを駆動するための方法及び装置に関する。第３実施例は、待機状態用コンテンツを移動端末機へ提供するための方法及び装置に関する。
2008501258.tif 000002
【特許請求の範囲】
【請求項１】
有無線通信網を介してサービス管理サーバー及びコンテンツ提供サーバーと結合し、メモリ、制御部、表示部及びキー入力部を含み且つ待機画面占有代表型アプリケーションが搭載された移動端末機の表示部に待機モードでメッセージを出力する方法において、
前記サービス管理サーバーから少なくとも一つのメッセージを受信する段階−ここで、前記メッセージは前記移動端末機のユーザによって予め設定された受信を所望する情報を提供する前記コンテンツ提供サーバーから提供する情報に基づいてサービス管理サーバーで生成したものであり、前記メッセージは、メッセージヘッダー、メッセージ掲示内容、及びメッセージ細部内容を含む−；
前記メッセージが掲示用メッセージであるか否かを判断する段階；
前記判断の結果、前記メッセージが掲示用メッセージであれば、前記メッセージを前記メモリに格納する段階；
待機モードで前記制御部の制御によって前記待機画面占有代表型アプリケーションを駆動する段階；
前記待機画面占有代表型アプリケーションによって前記メッセージを抽出する段階；及び
抽出された前記メッセージを前記表示部に出力する段階を含む、
待機モードでメッセージを移動端末機の表示部に出力する方法。
【請求項２】
前記待機画面占有代表型アプリケーションは、ダウンロード方式によって前記サービス管理サーバーから移動端末機へ伝送されることを特徴とする、請求項１に記載の待機モードでメッセージを移動端末機の表示部に出力する方法。
【請求項３】
前記待機画面占有代表型アプリケーションは、前記移動端末機のモバイルプラットフォームで動作することを特徴とする、請求項１に記載の待機モードでメッセージを移動端末機の表示部に出力する方法。
【請求項４】
前記モバイルプラットフォームは、ＧＶＭ、ＳＫ−ＶＭ、ＫＶＭ、ＭＡＰ、ＢＲＥＷ及びＷＩＰＩのいずれか一つであることを特徴とする、請求項３に記載の待機モードでメッセージを移動端末機の表示部に出力する方法。
【請求項５】
前記表示部の少なくとも一つのキー入力によって前記待機画面占有アプリケーションを活性化する段階；及び
前記表示部の少なくとも一つのキー入力によって前記メッセージに相応するアプリケーションを駆動する段階をさらに含むことを特徴とする、請求項１に記載の待機モードでメッセージを移動端末機の表示部に出力する方法。
【請求項６】
前記メッセージは、短文メッセージサービス(ＳＭＳ；Short Messaging Service)及びセル放送サービス(ＣＢＳ；Cell Broadcasting Service)のいずれか一つによって前記サービス管理サーバーから前記移動端末機へ伝送されることを特徴とする、請求項１に記載の待機モードでメッセージを移動端末機の表示部に出力する方法。
【請求項７】
前記メッセージヘッダーは、Ｔｅｌｅｓｖｃ−ｉｄ、格納時間、コンテンツＩＤ、及びコールバック用ＵＲＬアドレスを含むことを特徴とする、請求項１に記載の待機モードでメッセージを移動端末機の表示部に出力する方法。
【請求項８】
前記メッセージが前記メッセージヘッダーにＴｅｌｅｓｖｃ−ｉｄを含む場合、前記メッセージは、掲示用メッセージとして判断され、前記待機画面占有代表型アプリケーションによって前記メモリに格納されることを特徴とする、請求項７に記載の待機モードでメッセージを移動端末機の表示部に出力する方法。
【請求項９】
前記メッセージは、前記メッセージ掲示内容がスライド方式によって前記表示部に出力されることを特徴とする、請求項７に記載の待機モードでメッセージを移動端末機の表示部に出力する方法。
【請求項１０】
前記メッセージ掲示内容がスライド方式によって前記表示部に出力されている間に前記キー入力部の少なくとも一つのキー入力がある場合、前記メッセージ細部内容が前記表示部に出力されることを特徴とする、請求項９に記載の待機モードでメッセージを移動端末機の表示部に出力する方法。
【請求項１１】
前記メッセージ掲示内容がスライド方式によって前記表示部に出力されている間に前記キー入力部の少なくとも一つのキー入力がある場合、前記移動端末機は、コールバック用ＵＲＬアドレスを用いて前記コンテンツ提供サーバーに接続して詳細な内容を前記移動端末機の表示部に出力することを特徴とする、請求項９に記載の待機モードでメッセージを移動端末機の表示部に出力する方法。
【請求項１２】
前記コンテンツＩＤが高い重要度等級の場合、前記メッセージの細部内容が表示部に出力されることを特徴とする、請求項７に記載の待機モードでメッセージを移動端末機の表示部に出力する方法。
【請求項１３】
有無線通信網を介してサービス管理サーバー及び少なくとも一つのコンテンツ提供サーバーと結合し、メモリ、制御部、表示部及びキー入力部を含み、待機画面占有代表型アプリケーションが搭載された移動端末機の表示部に待機モードでイメージを出力する方法において、
前記サービス管理サーバーから少なくとも一つのイメージ情報をダウンロードする段階−ここで、前記イメージ情報は前記移動端末機のユーザによって予め設定されたイメージを提供する前記コンテンツ提供サーバーで生成されたものである−；
前記イメージ情報を前記メモリに格納する段階；
待機モードで前記制御部の制御を受け、前記待機画面占有代表型アプリケーションを駆動する段階；
前記待機画面占有代表型アプリケーションによって前記イメージ情報を抽出する段階；
抽出された前記イメージ情報に基づいて前記イメージを前記表示部に出力する段階；
前記サービス管理サーバーへ第１イメージ変更要請信号を伝送する段階−ここで、前記サービス管理サーバーは前記第１イメージ変更要請信号に相応して前記コンテンツ提供サーバーへ第２イメージ変更要請信号を伝送し、これに応答してイメージ変更情報を受信する−；
前記サービス管理サーバーから前記イメージ変更情報に相応してイメージ変更メッセージを受信する段階；及び
前記イメージ変更メッセージに基づいて前記イメージを変更して前記表示部に出力する段階を含む、
待機モードでイメージを移動端末機の表示部に出力する方法。
【請求項１４】
前記移動端末機のフォルダーオープンイベント、前記キー入力部のキー入力イベント、タイマーイベント、及びアラームイベントのいずれか一つにより予め定められた方式によって前記イメージを変更して前記表示部に出力する段階をさらに含むことを特徴とする、請求項１３に記載の待機モードでメッセージを移動端末機の表示部に出力する方法。
【請求項１５】
前記移動端末機のフォルダーオープンイベント及び前記キー入力部のキー入力イベントのいずれか一つにより予め定められた方式によって前記サービス管理サーバーへ前記第１イメージ変更要請信号が伝送されることを特徴とする、請求項１３に記載の待機モードでメッセージを移動端末機の表示部に出力する方法。
【請求項１６】
有無線通信網を介してサービス管理サーバー及び少なくとも一つのコンテンツ提供サーバーと結合し、メモリ、制御部、表示部及びキー入力部を含み、待機画面占有代表型アプリケーションが搭載された移動端末機の表示部に待機モードでイメージを出力する方法において、
前記サービス管理サーバーから少なくとも一つのイメージ情報をダウンロードする段階−ここで、前記イメージ情報は前記移動端末機のユーザによって予め設定されたイメージを提供する前記コンテンツ提供サーバーで生成されたものである−；
前記イメージ情報を前記メモリに格納する段階；
待機モードで前記制御部の制御を受け、前記待機画面占有代表型アプリケーションを駆動する段階；
前記待機画面占有代表型アプリケーションによって前記イメージ情報を抽出する段階；
抽出された前記イメージ情報に基づいて前記イメージを前記表示部に出力する段階；
前記コンテンツ提供サーバーへイメージ変更要請信号を伝送する段階；
前記イメージ変更要請信号に応答して前記コンテンツ提供サーバーからイメージ変更メッセージを受信する段階；及び
前記イメージ変更メッセージに基づいて前記イメージを変更して前記表示部に出力する段階を含む、
待機モードでイメージを移動端末機の表示部に出力する方法。
【請求項１７】
有無線通信網を介して少なくとも一つの移動端末機及び少なくとも一つのコンテンツ提供サーバーと結合するサービス管理サーバーから移動端末機の待機モードでメッセージを移動端末機の表示部に出力する方法において、
前記移動端末機からサービス設定情報を受信する段階−ここで、前記サービス設定情報は前記移動端末機の表示部に出力する掲示用メッセージ及びイメージの少なくとも一つに関連したコンテンツ種類を含む−；
前記サービス設定情報に基づいて前記コンテンツ提供サーバーへコンテンツ要求信号を伝送する段階；
前記コンテンツ要求信号に応答してコンテンツを受信する段階；
前記コンテンツをメッセージの形に加工する段階−ここで、前記メッセージは、メッセージヘッダー、メッセージ掲示内容、及びメッセージ細部内容を含む−；及び
加工された前記メッセージを前記移動端末機へ伝送する段階を含み、
前記移動端末機は、受信した前記メッセージをメモリに格納し、待機モードで前記待機画面占有代表型アプリケーションを駆動し、前記待機画面占有代表型アプリケーションによって前記メッセージを抽出して前記メッセージを掲示用メッセージ及びイメージの少なくとも一つの形で表示部に出力する、
ことを特徴とする、移動端末機の待機モードでメッセージを移動端末機の表示部に出力する方法。
【請求項１８】
有無線通信網を介してサービス管理サーバー及びコンテンツ提供サーバーと結合して待機モードでメッセージを表示部に出力し、メモリ、制御部、表示部及びキー入力部を含み、待機画面占有代表型アプリケーションが搭載された移動端末機において、
前記サービス管理サーバーから少なくとも一つのメッセージを受信する手段−ここで、前記メッセージは前記移動端末機のユーザによって予め設定された受信を所望する情報を提供する前記コンテンツ提供サーバーから提供する情報に基づいてサービス管理サーバーで生成したものであり、前記メッセージは、メッセージヘッダー、メッセージ掲示内容、及びメッセージ細部内容を含む−；
前記メッセージが掲示用メッセージであるか否かを判断する手段；
前記判断の結果、前記メッセージが掲示用メッセージであれば、前記メッセージを前記メモリに格納する手段；
待機モードで前記制御部の制御によって前記待機画面占有代表型アプリケーションを駆動する手段；
前記待機画面占有代表型アプリケーションによって前記メッセージを抽出する手段；及び
抽出された前記メッセージを前記表示部に出力する手段、
を含む、移動端末機。
【請求項１９】
有無線通信網を介してサービス管理サーバー及び少なくとも一つのコンテンツ提供サーバーと結合して待機モードでイメージを表示部に出力し、メモリ、制御部、表示部及びキー入力部を含み、待機画面占有代表型アプリケーションが搭載された移動端末機において、
前記サービス管理サーバーから少なくとも一つのイメージ情報をダウンロードする手段−ここで、前記イメージ情報は前記移動端末機のユーザによって予め設定されたイメージを提供する前記コンテンツ提供サーバーで生成されたものである−；
前記イメージ情報を前記メモリに格納する手段；
待機モードで前記制御部の制御を受け、前記待機画面占有代表型アプリケーションを駆動する手段；
前記待機画面占有代表型アプリケーションによって前記イメージ情報を抽出する手段；
抽出された前記イメージ情報に基づいて前記イメージを前記表示部に出力する手段；
前記サービス管理サーバーへ第１イメージ変更要請信号を伝送する手段−ここで、前記サービス管理サーバーは前記第１イメージ変更要請信号に相応して前記コンテンツ提供サーバーへ第２イメージ変更要請信号を伝送し、これに応答してイメージ変更情報を受信する−；
前記サービス管理サーバーから前記イメージ変更情報に相応してイメージ変更メッセージを受信する手段；及び
前記イメージ変更情報メッセージに基づいて前記イメージを変更して前記表示部に出力する、
手段を含む、移動通信端末機。
【請求項２０】
有無線通信網を介してサービス管理サーバー及び少なくとも一つのコンテンツ提供サーバーと結合して待機モードでイメージを表示部に出力し、メモリ、制御部、表示部及びキー入力部を含み、待機画面占有代表型アプリケーションが搭載された移動端末機において、
前記サービス管理サーバーから少なくとも一つのイメージ情報をダウンロードする手段−ここで、前記イメージ情報は移動端末機のユーザによって予め設定されたイメージを提供する前記コンテンツ提供サーバーで生成されたものである−；
前記イメージ情報を前記メモリに格納する手段；
待機モードで前記制御部の制御を受け、前記待機画面占有代表型アプリケーションを駆動する手段；
前記待機画面占有代表型アプリケーションによって前記イメージ情報を抽出する手段；
抽出された前記イメージ情報に基づいて前記イメージを前記表示部に出力する手段；
前記コンテンツ提供サーバーへ前記イメージ変更要請信号を伝送する手段；
前記イメージ変更要請信号に応答して前記コンテンツ提供サーバーからイメージ変更メッセージを受信する手段；及び
前記イメージ変更メッセージに基づいて前記イメージを変更して前記表示部に出力する手段、
とを含む、移動端末機。
【請求項２１】
有無線通信網を介して少なくとも一つの移動端末機及び少なくとも一つのコンテンツ提供サーバーと結合して移動端末機の待機モードでメッセージを移動端末機の表示部に出力するサービス管理サーバーにおいて、
前記移動端末機からサービス設定情報を受信する手段−ここで、前記サービス設定情報は前記移動端末機の表示部に出力する掲示用メッセージ及びイメージの少なくとも一つに関連したコンテンツ種類を含む−；
前記サービス設定情報に基づいて前記コンテンツ提供サーバーへコンテンツ要求信号を伝送する手段；
前記コンテンツ要求信号に応答してコンテンツを受信する手段；
前記コンテンツをメッセージの形に加工する手段−ここで、前記メッセージは、メッセージヘッダー、メッセージ掲示内容、及びメッセージ細部内容を含む−；及び
加工された前記メッセージを前記移動端末機へ伝送する手段を含み、
前記移動端末機は、受信した前記メッセージをメモリに格納し、待機モードで前記待機画面占有代表型アプリケーションを駆動し、前記待機画面占有代表型アプリケーションによって前記メッセージを抽出して前記メッセージを掲示用メッセージ及びイメージの少なくとも一つの形で表示部に出力する、
ことを特徴とする、サービス管理サーバー。
【請求項２２】
有無線通信網を介してサービス管理サーバー及びコンテンツ提供サーバーと結合して待機モードでメッセージを表示部に出力し、メモリ、制御部、表示部及びキー入力部を含み、待機画面占有代表型アプリケーションが搭載された移動端末機において、
プログラムが格納されているメモリと、
前記メモリに結合して前記プログラムを実行するプロセッサとを含み、
前記プロセッサは、前記プログラムによって、
前記サービス管理サーバーから少なくとも一つのメッセージを受信し−ここで、前記メッセージは前記移動端末機のユーザによって予め設定された受信を所望する情報を提供する前記コンテンツ提供サーバーから提供する情報に基づいてサービス管理サーバーで生成したものであり、前記メッセージは、メッセージヘッダー、メッセージ掲示内容、及びメッセージ細部内容を含む−、前記メッセージが掲示用メッセージであるか否かを判断し、前記判断の結果、前記メッセージが掲示用メッセージであれば、前記メッセージを前記メモリに格納し、待機モードで前記制御部の制御によって前記待機画面占有代表型アプリケーションを駆動し、前記待機画面占有代表型アプリケーションによって前記メッセージを抽出し、抽出された前記メッセージを前記表示部に出力する、
ことを特徴とする、移動端末機。
【請求項２３】
有無線通信網を介してサービス管理サーバー及び少なくとも一つのコンテンツ提供サーバーと結合して待機モードでイメージを表示部に出力し、メモリ、制御部、表示部及びキー入力部を含み、待機画面占有代表型アプリケーションが搭載された移動端末機において、
プログラムが格納されているメモリと、
前記メモリに結合して前記プログラムを実行するプロセッサとを含み、
前記プロセッサは、前記プログラムによって、
前記サービス管理サーバーから少なくとも一つのイメージ情報をダウンロードし−ここで、前記イメージ情報は前記移動端末機のユーザによって予め設定されたイメージを提供する前記コンテンツ提供サーバーで生成されたものである−、前記イメージ情報を前記メモリに格納し、待機モードで前記制御部の制御を受けて前記待機画面占有代表型アプリケーションを駆動し、前記待機画面占有代表型アプリケーションによって前記イメージ情報を抽出し、抽出された前記イメージ情報に基づいて前記イメージを前記表示部に出力し、前記サービス管理サーバーへ第１イメージ変更要請信号を伝送し−ここで、前記サービス管理サーバーは前記第１イメージ変更要請信号に相応して前記コンテンツ提供サーバーへ第２イメージ変更要請信号を伝送し、これに応答してイメージ変更情報を受信する−、前記サービス管理サーバーから前記イメージ変更情報に相応してイメージ変更メッセージを受信し、前記イメージ変更情報メッセージに基づいて前記イメージを変更して前記表示部に出力する、
ことを特徴とする、移動端末機。
【請求項２４】
有無線通信網を介して少なくとも一つの移動端末機及び少なくとも一つのコンテンツ提供サーバーと結合して移動端末機の待機モードでメッセージを移動端末機の表示部に出力するサービス管理サーバーにおいて、
プログラムが格納されているメモリと、
前記メモリに結合して前記プログラムを実行するプロセッサとを含み、
前記プロセッサは、前記プログラムによって、
前記移動端末機からサービス設定情報を受信し−ここで、前記サービス設定情報は前記移動端末機の表示部に出力する掲示用メッセージ及びイメージの少なくとも一つに関連したコンテンツ種類を含む−、前記サービス設定情報に基づいて前記コンテンツ提供サーバーへコンテンツ要求信号を伝送し、前記コンテンツ要求信号に応答してコンテンツを受信し、前記コンテンツをメッセージの形に加工し−ここで、前記メッセージは、メッセージヘッダー、メッセージ掲示内容、及びメッセージ細部内容を含む−、加工された前記メッセージを前記移動端末機へ伝送し、前記移動端末機は、受信した前記メッセージをメモリに格納し、待機モードで前記待機画面占有代表型アプリケーションを駆動し、前記待機画面占有代表型アプリケーションによって前記メッセージを抽出して前記メッセージを掲示用メッセージ及びイメージの少なくとも一つの形で表示部に出力する、
ことを特徴とする、サービス管理サーバー。
【請求項２５】
移動通信網を介してサービス管理サーバーと結合する移動端末機で行う待機モード用アプリケーション駆動方法において、
前記サービス管理サーバーへコンテンツ情報要請信号を伝送する段階；
前記サービス管理サーバーから前記コンテンツ情報要請信号に相応するコンテンツ情報を受信する段階−ここで、前記サービス管理サーバーはコンテンツ別にサービスチャネルを与える−；
前記コンテンツ情報に基づいてアプリケーション応答パケットを構成する段階；
前記アプリケーション応答パケットに基づいて待機モードでコンテンツリストを出力する段階を含み、
前記出力されるコンテンツリストには、ショートカット機能を含む少なくとも一つのコンテンツ項目を含む、
ことを特徴とする、待機モード用アプリケーション駆動方法。
【請求項２６】
前記アプリケーション応答パケットを構成する前には、前記待機モードで待機画面占有代表型アプリケーションを駆動する段階をさらに含むことを特徴とする、請求項２５に記載の待機モード用アプリケーション駆動方法。
【請求項２７】
前記待機画面占有代表型アプリケーションを出力する途中でユーザからエージェントキーが入力されると、アプリケーション情報リストを出力する段階をさらに含むことを特徴とする、請求項２６に記載の待機モード用アプリケーション駆動方法。
【請求項２８】
前記アプリケーション情報リストに基づいてユーザから指定アプリケーション項目に対する選択信号の入力を受ける段階；及び
前記選択信号に応答して、指定アプリケーションを駆動する段階をさらに含むことを特徴とする、請求項２７に記載の待機モード用アプリケーション駆動方法。
【請求項２９】
移動通信網を介してサービス管理サーバーと結合し、待機モード用アプリケーション駆動方法を行う移動端末機において、
プログラムが格納されているメモリと、
前記メモリに結合して前記プログラムを実行するプロセッサとを含み、
前記プロセッサは、前記プログラムによって、
前記サービス管理サーバーへコンテンツ情報要請信号を伝送する段階；
前記サービス管理サーバーから前記コンテンツ情報要請信号に相応するコンテンツ情報を受信する段階−ここで、前記サービス管理サーバーはコンテンツ別にサービスチャネルを与える−；
前記コンテンツ情報に基づいてアプリケーション応答パケットを構成する段階；及び
前記アプリケーション応答パケットに基づいて待機モードでコンテンツリストを出力する段階を行い、前記出力されるコンテンツリストには、ショートカット機能を含む少なくとも一つのコンテンツ項目を含む、
ことを特徴とする、移動端末機。
【請求項３０】
有無線通信網を介して少なくとも一つの移動端末機及び少なくとも一つのコンテンツ提供サーバーと結合するサービス管理サーバーから待機モード用コンテンツを前記移動端末機へ提供する方法において、
前記コンテンツ提供サーバーへ一定の周期でコンテンツ情報要請信号を伝送する段階；
前記コンテンツ情報要請信号に応答してコンテンツ情報を受信する段階；
前記受信されたコンテンツ情報に基づいてサーバー内の現在コンテンツ情報をアップデートする段階；
前記移動端末機からコンテンツ情報要請信号を受信する段階；
前記コンテンツ情報要請信号に相応する前記コンテンツ情報をメッセージの形に加工する段階；及び
加工された前記メッセージを前記移動端末機へ伝送する段階を含み、
前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力する、
ことを特徴とする、待機モード用コンテンツを移動端末機へ提供する方法。
【請求項３１】
前記待機画面占有代表型アプリケーションは、予め前記移動端末機が前記サービス管理サーバーからダウンロードすることを特徴とする、請求項３０に記載の待機モード用コンテンツを移動端末機へ提供する方法。
【請求項３２】
前記待機画面占有代表型アプリケーションは、前記移動端末機のモバイルプラットフォームで動作することを特徴とする、請求項３０に記載の待機モード用コンテンツを移動端末機へ提供する方法。
【請求項３３】
前記モバイルプラットフォームは、ＧＶＭ、ＳＫ−ＶＭ、ＫＶＭ、ＭＡＰ、ＢＲＥＷ及びＷＩＰＩのいずれか一つであることを特徴とする、請求項３２に記載の待機モード用コンテンツを移動端末機へ提供する方法。
【請求項３４】
前記メッセージは、メッセージヘッダー、メッセージ掲示内容、及びメッセージ細部内容を含むことを特徴とする、請求項３０に記載の待機モード用コンテンツを移動端末機へ提供する方法。
【請求項３５】
前記メッセージヘッダーは、Ｔｅｌｅｓｖｃ−ｉｄ、格納時間、コンテンツＩＤ、及びコールバック用ＵＲＬアドレスを含むことを特徴とする、請求項３４に記載の待機モード用コンテンツを移動端末機へ提供する方法。
【請求項３６】
前記メッセージが前記メッセージヘッダーにＴｅｌｅｓｖｃ−ｉｄを含む場合、前記メッセージは、掲示用メッセージと判断され、前記待機画面占有代表型アプリケーションによって前記移動端末機のメモリに格納されることを特徴とする、請求項３５に記載の待機モード用コンテンツを移動端末機へ提供する方法。
【請求項３７】
前記メッセージは、前記メッセージ掲示内容がスライド方式によって前記表示部に出力されることを特徴とする、請求項３４に記載の待機モード用コンテンツを移動端末機へ提供する方法。
【請求項３８】
有無線通信網を介して少なくとも一つの移動端末機及び少なくとも一つのコンテンツ提供サーバーと結合するサービス管理サーバーから待機モード用コンテンツを前記移動端末機へ提供する方法において、
前記コンテンツ提供サーバーからコンテンツがアップデートされる度に、アップデートされたコンテンツ情報を前記コンテンツ提供サーバーから受信する段階；
前記受信されたコンテンツ情報に基づいてサーバー内の現在コンテンツ情報をアップデートする段階；
前記移動端末機からコンテンツ情報要請信号を受信する段階；
前記コンテンツ情報要請信号に相応する前記コンテンツ情報をメッセージの形に加工する段階；及び
加工された前記メッセージを前記移動端末機へ伝送する段階を含み、
前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力する、
ことを特徴とする、待機モード用コンテンツを移動端末機へ提供する方法。
【請求項３９】
有無線通信網を介して少なくとも一つの移動端末機及び少なくとも一つのコンテンツ提供サーバーと結合するサービス管理サーバーから待機モード用コンテンツを前記移動端末機へ提供する方法において、
前記コンテンツ提供サーバーへ一定の周期でコンテンツ情報要請信号を伝送する段階；
前記コンテンツ情報要請信号に応答してコンテンツ情報を受信する段階；
前記受信されたコンテンツ情報に基づいてサーバー内の現在コンテンツ情報をアップデートする段階；
前記移動端末機のコンテンツ現況とコンテンツ情報アップデート現況とを比較する段階；
前記比較結果、コンテンツアップデート現況が前記移動端末機のコンテンツ現況より最新の場合、前記コンテンツ情報をメッセージの形に加工する段階；及び
加工された前記メッセージを前記移動端末機へ伝送する段階を含み、
前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力する、
ことを特徴とする、待機モード用コンテンツを移動端末機へ提供する方法。
【請求項４０】
有無線通信網を介して少なくとも一つの移動端末機及び少なくとも一つのコンテンツ提供サーバーと結合するサービス管理サーバーから待機モード用コンテンツを前記移動端末機へ提供する方法において、
前記コンテンツ提供サーバーからコンテンツがアップデートされる度に、アップデートされたコンテンツ情報を前記コンテンツ提供サーバーから受信する段階；
前記受信されたコンテンツ情報に基づいてサーバー内の現在コンテンツ情報をアップデートする段階；
前記移動端末機のコンテンツ現況とコンテンツ情報アップデート現況とを比較する段階；
前記比較結果、コンテンツアップデート現況が前記移動端末機のコンテンツ現況より最新の場合、前記コンテンツ情報をメッセージの形に加工する段階；及び
加工された前記メッセージを前記移動端末機へ伝送する段階を含み、
前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、待機モード用コンテンツを移動端末機へ提供する方法。
【請求項４１】
有無線通信網を介して少なくとも一つの移動端末機及び少なくとも一つのコンテンツ提供サーバーと結合して待機モード用コンテンツを前記移動端末機へ提供するサービス管理サーバーにおいて、
前記コンテンツ提供サーバーへ一定の周期でコンテンツ情報要請信号を伝送する手段；
前記コンテンツ情報要請信号に応答してコンテンツ情報を受信する手段；
前記受信されたコンテンツ情報に基づいてサーバー内の現在コンテンツ情報をアップデートする手段；
前記移動端末機からコンテンツ情報要請信号を受信する手段；
前記コンテンツ情報要請信号に相応する前記コンテンツ情報をメッセージの形に加工する手段；及び
加工された前記メッセージを前記移動端末機へ伝送する手段を含み、
前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、サービス管理サーバー。
【請求項４２】
有無線通信網を介して少なくとも一つの移動端末機及び少なくとも一つのコンテンツ提供サーバーと結合して待機モード用コンテンツを前記移動端末機へ提供するサービス管理サーバーにおいて、
前記コンテンツ提供サーバーからコンテンツがアップデートされる度に、アップデートされたコンテンツ情報を前記コンテンツ提供サーバーから受信する手段；
前記受信されたコンテンツ情報に基づいてサーバー内の現在コンテンツ情報をアップデートする手段；
前記移動端末機からコンテンツ情報要請信号を受信する手段；
前記コンテンツ情報要請信号に相応する前記コンテンツ情報をメッセージの形に加工する手段；及び
加工された前記メッセージを前記移動端末機へ伝送する手段を含み、
前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力する、
ことを特徴とする、サービス管理サーバー。
【請求項４３】
有無線通信網を介して少なくとも一つの移動端末機及び少なくとも一つのコンテンツ提供サーバーと結合して待機モード用コンテンツを前記移動端末機へ提供するサービス管理サーバーにおいて、
前記コンテンツ提供サーバーへ一定の周期でコンテンツ情報要請信号を伝送する手段；
前記コンテンツ情報要請信号に応答してコンテンツ情報を受信する手段；
前記受信されたコンテンツ情報に基づいてサーバー内の現在コンテンツ情報をアップデートする手段；
前記移動端末機のコンテンツ現況とコンテンツ情報アップデート現況とを比較する手段；
前記比較結果、コンテンツアップデート現況が前記移動端末機のコンテンツ現況より最新の場合、前記コンテンツ情報をメッセージの形に加工する手段；及び
加工された前記メッセージを前記移動端末機へ伝送する手段を含み、
前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力する、
ことを特徴とする、サービス管理サーバー。
【請求項４４】
有無線通信網を介して少なくとも一つの移動端末機及び少なくとも一つのコンテンツ提供サーバーと結合して待機モード用コンテンツを前記移動端末機へ提供するサービス管理サーバーにおいて、
前記コンテンツ提供サーバーからコンテンツがアップデートされる度に、アップデートされたコンテンツ情報を前記コンテンツ提供サーバーから受信する手段；
前記受信されたコンテンツ情報に基づいてサーバー内の現在コンテンツ情報をアップデートする手段；
前記移動端末機のコンテンツ現況とコンテンツ情報アップデート現況とを比較する手段；
前記比較結果、コンテンツアップデート現況が前記移動端末機のコンテンツ現況より最新の場合、前記コンテンツ情報をメッセージの形に加工する手段；及び
加工された前記メッセージを前記移動端末機へ伝送する手段を含み、
前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、サービス管理サーバー。
【請求項４５】
有無線通信網を介して少なくとも一つの移動端末機及び少なくとも一つのコンテンツ提供サーバーと結合して待機モード用コンテンツを前記移動端末機へ提供するサービス管理サーバーにおいて、
プログラムが格納されているメモリと、
前記メモリに結合して前記プログラムを実行するプロセッサとを 含み、
前記プロセッサは、前記プログラムによって、
前記コンテンツ提供サーバーへ一定の周期でコンテンツ情報要請信号を伝送し、前記コンテンツ情報要請信号に応答してコンテンツ情報を受信し、前記コンテンツ情報に基づいてコンテンツ情報をアップデートし、前記移動端末機からコンテンツ情報要請信号を受信し、前記コンテンツ情報要請信号に相応する前記コンテンツ情報をメッセージの形に加工し、加工された前記メッセージを前記移動端末機へ 伝送し、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力する、
ことを特徴とする、サービス管理サーバー。
【請求項４６】
有無線通信網を介して少なくとも一つの移動端末機及び少なくとも一つのコンテンツ提供サーバーと結合して待機モード用コンテンツを前記移動端末機へ提供するサービス管理サーバーにおいて、
プログラムが格納されているメモリと、
前記メモリに結合して前記プログラムを実行するプロセッサとを含み、
前記プロセッサは、前記プログラムによって、
前記コンテンツ提供サーバーからコンテンツがアップデートされる度に、アップデートされたコンテンツ情報を前記コンテンツ提供サーバーから受信し、前記コンテンツ情報に基づいてコンテンツ情報をアップデートし、前記移動端末機からコンテンツ情報要請信号を受信し、前記コンテンツ情報要請信号に相応する前記コンテンツ情報をメッセージの形に加工し、加工された前記メッセージを前記移動端末機へ伝送し、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力する、
ことを特徴とする、サービス管理サーバー。
【請求項４７】
有無線通信網を介して少なくとも一つの移動端末機及び少なくとも一つのコンテンツ提供サーバーと結合して待機モード用コンテンツを前記移動端末機へ提供するサービス管理サーバーにおいて、
プログラムが格納されているメモリと、
前記メモリに結合して前記プログラムを実行するプロセッサとを含み、
前記プロセッサは、前記プログラムによって、
前記コンテンツ提供サーバーへ一定の周期でコンテンツ情報要請信号を伝送し、前記コンテンツ情報要請信号に応答してコンテンツ情報を受信し、前記コンテンツ情報に基づいてコンテンツ情報をアップデートし、前記移動端末機のコンテンツ現況とコンテンツ情報アップデート現況とを比較し、前記比較結果、コンテンツアップデート現況が前記移動端末機のコンテンツ現況より最新の場合、前記コンテンツ情報をメッセージの形に加工し、加工された前記メッセージを前記移動端末機へ伝送し、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力する、
ことを特徴とする、サービス管理サーバー。
【請求項４８】
有無線通信網を介して少なくとも一つの移動端末機及び少なくとも一つのコンテンツ提供サーバーと結合して待機モード用コンテンツを前記移動端末機へ提供するサービス管理サーバーにおいて、
プログラムが格納されているメモリと、
前記メモリに結合して前記プログラムを実行するプロセッサとを含み、
前記プロセッサは、前記プログラムによって、
前記コンテンツ提供サーバーからコンテンツがアップデートされる度に、アップデートされたコンテンツ情報を前記コンテンツ提供サーバーから受信し、前記コンテンツ情報に基づいてコンテンツ情報をアップデートし、前記移動端末機のコンテンツ現況とコンテンツ情報アップデート現況とを比較し、前記比較結果、コンテンツアップデート現況が前記移動端末機のコンテンツ現況より最新の場合、前記コンテンツ情報をメッセージの形に加工し、加工された前記メッセージを前記移動端末機へ伝送し、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力する、
ことを特徴とする、サービス管理サーバー。
【発明の詳細な説明】
【技術分野】
【０００１】
本発明は、移動端末機の待機モードで短文メッセージサービス（ＳＭＳ；Short Messaging Service）及びセル放送サービス(ＣＢＳ；Cell Broadcasting Service)によって受信したメッセージを表示部に掲示板の形で出力し、待機画面のイメージを変更するサービスを提供する方法及び装置に関する。また、本発明は、待機モード用アプリケーション駆動方法及び装置、待機モード用コンテンツを移動端末機へ伝送する方法及び装置に関する。
【背景技術】
【０００２】
従来、移動端末機の待機画面は、画面全体を例えばテスクトップ用コンテンツ、スケジューラー、時計などの端末機の基本待機画面に用いられている。次に、図１を参照して従来の待機画面処理手続きを説明する。
【０００３】
図１は従来の技術に係る移動端末機における待機画面処理手続きを示す順序図である。
【０００４】
図１を参照すると、移動端末機の終了ボタンが入力されるか一定の時間キー入力がなければ、移動端末機は、待機モードに進入する（段階１０１）。待機モードに進入する場合、移動端末機は、制御部の制御を受け、移動端末機の基本ソフトウェアである待機画面処理プログラムを駆動する（段階１０３）。その後、待機画面処理プログラムは、移動端末機のユーザによって予め設定されるか移動端末機に基本的に設定された待機画面コンテンツをロードしてプレイする（段階１０５）。移動端末機は、待機画面コンテンツを表示部に出力し（段階１０７）、ユーザのキー入力を待機する（段階１０９）。ここで、待機画面処理プログラムは、移動端末機が処理し得るメディアコンテンツのみをダウンロードして待機画面コンテンツとして使用することができ、移動端末機が支援しない新しいメディアコンテンツに対してはダウンロードしても待機画面コンテンツとして使用することができない。また、待機画面コンテンツではなく、一般コンテンツの場合、待機モードで画面出力または実行するのに不適であるという問題点がある。このような問題点を解決するために、２００３年３月１０日付けで出願された発明の名称が「移動通信端末機における待機モード用インタラクティブコンテンツの再生方法及びこれを用いた移動通信端末機」（以下、従来の発明と称する）である韓国特許出願第１０−２００３−００１４６８７号が２００３年１１月１４日付けで公開された。次に、図２を参照して、従来の発明について概略的に説明する。
【０００５】
図２は従来の技術に係る移動端末機における待機モード用インタラクティブコンテンツの再生方法を概略的に示す順序図である。
【０００６】
図２を参照すると、移動端末機は、システムが初期化されるか、ユーザが端末機の操作をしばらく行わなければ、待機モードに進入する（段階２０１）。次いで、インタラクティブコンテンツ再生器を駆動した後（段階２０３）、待機画面動画像コンテンツとして設定されたインタラクティブコンテンツを再生して端末機の画面に表示する（段階２０５）。その後、外部イベントが発生するまで、指定された画面を表示し続けるが、待機モード用インタラクティブコンテンツは、複数のフレームを含むので、外部イベントが発生すると（段階２０７）、イベントが「次の画面のアップデート」であるか否かを判断する（段階２０９）。判断の結果、イベントが「次の画面のアップデート」であれば、次のフレームでアップデートして段階２０５を行い続ける。
【０００７】
一方、イベントが「次の画面のアップデート」でなければ、現在待機画面動画像として端末機の画面に表示中のインタラクティブコンテンツに対して設定されたインタラクティブコンテンツ操作キー入力であるか否かを判断する（段階２１１）。判断の結果、インタラクティブコンテンツ操作キー入力であれば、インタラクティブコンテンツに入力されたキーに対応して行うように定義されている一連の動作を行い、次のイベントを待機する（段階２１３）。一方、発生した外部イベントがインタラクティブコンテンツ操作キー入力でなければ、待機画面キー入力による処理過程が行われる（段階２１５）。待機画面キー入力は、数字キー入力、電話受信及びＳＭＳ受信のための入力を含む。
【０００８】
従来の発明は、待機モードでインタラクティブコンテンツを再生することが可能である。ところが、従来の発明は、短文メッセージサービス及びセル放送サービスによって受信したメッセージを待機モードで掲示板の形で表示部に出力することができない。また、従来の発明は、移動端末機で発生するイベントによって待機画面のイメージを変更することができないという欠点がある。また、従来の発明は、待機画面に出力するコンテンツの種類を自由に設定することができないという欠点がある。
【０００９】
また、チッカー(Ticker)と呼ばれる従来のサービス（例えば株価情報、ニュース速報など）とは、特定のコンテンツをユーザが見ている画面に周期的または永続的に表示するサービスをいう。このようなチッカーサービスは、有線上で様々な方法で提供されており、無線上では短文メッセージサービス（ＳＭＳ）またはセル放送サービス（ＣＢＳ）の形式で提供されている。短文メッセージサービスまたはセル放送サービスを用いた、無線上で提供される従来のチッカーサービスは、メッセージの容量に限界があり、コンテンツメディアがテキストに限定されており、ユーザが所望するときにチッカーサービスの提供を受けられないという欠点がある。無線通信の発展に伴ってマルチメーディア支援用端末機が登場することにより、チッカーサービスを提供する多様なコンテンツの登場が予想されるので、ユーザが自由にチッカーサービス環境を設定する必要性が台頭してきている。
【００１０】
従来の発明は、待機モードでインタラクティブコンテンツを再生することが可能なので、ユーザが特定のキーを入力することにより特定のサイトに接続して情報をユーザに見せ易いという利点がある。ところが、従来の発明は、コンテンツを待機モードで再生するだけで、チッカーの形で使用されないという欠点がある。また、従来の発明では、殆どユーザが待機画面に集中しないにも拘わらず、ユーザが端末機を使用しない状態でもコンテンツを再生し続けるが、このような待機モードでのコンテンツ再生は、消耗的で意味のないものである。
【発明の開示】
【発明が解決しようとする課題】
【００１１】
本発明の目的は、短文メッセージサービス及びセル放送サービスによって受信したメッセージを待機モードで掲示板の形で表示部に出力する方法及び装置を提供することにある。
【００１２】
本発明の他の目的は、移動端末機で発生するイベントによって待機画面のイメージを変更する方法及び装置を提供することにある。
【００１３】
本発明の別の目的は、移動端末機で待機画面を占有しながらメッセージ及びイメージを待機画面から表示部に出力することが可能な待機画面占有代表型アプリケーションを提供することにある。
【００１４】
本発明の別の目的は、待機画面占有代表型アプリケーションを介して、待機画面として出力するコンテンツの種類を自由に設定または変更することが可能な方法及び装置を提供することにある。
【００１５】
本発明の別の目的は、常時携帯している移動端末機の待機モードでユーザが指定したアプリケーションを待機モードで駆動し、ユーザ所望の形態、時間、方式で出力するためのコンテンツを提供する方法及び装置を提供することにある。
【００１６】
本発明の別の目的は、ユーザが所望する指定アプリケーション情報を容易且つ迅速に伝達することが可能な移動端末機の待機モードでショートカット機能活用型のリストを提供する方法及び装置を提供することにある。
【００１７】
本発明の別の目的は、ユーザによって指定されたアプリケーションを駆動してコンテンツを表示し、終了後に待機モードで指定アプリケーションを自動的に駆動するための方法及び装置を提供することにある。
【００１８】
本発明の別の目的は、常時携帯している移動端末機の待機状態でユーザが所望する形態、時間、方式で出力するためのコンテンツを提供する方法及び装置を提供することにある。
【００１９】
本発明の別の目的は、コンテンツをユーザの所望する時間にチッカーの形で提供することにより、多様な情報を容易且つ迅速に伝達することが可能な移動端末機の待機モードで再生されるコンテンツを提供する方法及び装置を提供することにある。
【００２０】
本発明の別の目的は、コンテンツをユーザの所望する時間に提供することにより、広告、教育、暗記の用途として使用することが可能な移動端末機の待機モードで再生されるコンテンツを提供する方法及び装置を提供することにある。
【課題を解決するための手段】
【００２１】
上記目的を達成するために、本発明のある観点によれば、有無線通信網を介してサービス管理サーバー及びコンテンツ提供サーバーと結合し、メモリ、制御部、表示部及びキー入力部を含み且つ待機画面占有代表型アプリケーションが搭載された移動端末機の表示部に待機モードでメッセージを出力する方法において、前記サービス管理サーバーから少なくとも一つのメッセージを受信する段階−ここで、前記メッセージは前記移動端末機のユーザによって予め設定された受信を所望する情報を提供する前記コンテンツ提供サーバーから提供する情報に基づいてサービス管理サーバーで生成したものである−；前記メッセージが掲示用メッセージであるか否かを判断する段階；前記判断の結果、前記メッセージが掲示用メッセージであれば、前記メッセージを前記メモリに格納する段階；待機モードで前記制御部の制御によって前記待機画面占有代表型アプリケーションを駆動する段階；前記待機画面占有代表型アプリケーションによって前記メッセージを抽出する段階；および抽出された前記メッセージを前記表示部に出力する段階を含む、待機モードでメッセージを移動端末機の表示部に出力する方法が提供される。
【００２２】
好適な一実施例において、前記待機画面占有代表型アプリケーションは、ダウンロード方式によって前記サービス管理サーバーから移動端末機へ伝送されることを特徴とする。また、前記待機画面占有代表型アプリケーションは、前記移動端末機のモバイルプラットフォームで動作することを特徴とする。また、前記モバイルプラットフォームは、ＧＶＭ、ＳＫ−ＶＭ、ＫＶＭ、ＭＡＰ、ＢＲＥＷ及びＷＩＰＩのいずれか一つであることを特徴とする。
【００２３】
また、前記方法は、前記表示部の少なくとも一つのキー入力によって前記待機画面占有アプリケーションを活性化する段階、及び前記表示部の少なくとも一つのキー入力によって前記メッセージに相応するアプリケーションを駆動する段階をさらに含むことを特徴とする。
【００２４】
また、前記メッセージは、短文メッセージサービス及びセル放送サービスのいずれか一つによって前記サービス管理サーバーから前記移動端末機へ伝送されることを特徴とする。また、前記メッセージは、メッセージヘッダー、メッセージ掲示内容、及びメッセージ細部内容を含むことを特徴とする。また、前記メッセージヘッダーはＴｅｌｅｓｖｃ−ｉｄ、格納時間、コンテンツＩＤ、及びコールバック用ＵＲＬアドレスを含むことを特徴とする。また、前記メッセージが前記メッセージヘッダーにＴｅｌｅｓｖｃ−ｉｄを含む場合、前記メッセージは、掲示用メッセージとして判断され、前記待機画面占有代表型アプリケーションによって前記メモリに格納されることを特徴とする。また、前記メッセージは、前記メッセージ掲示内容がスライド方式によって前記表示部に出力されることを特徴とする。また、前記メッセージ掲示内容がスライド方式によって前記表示部に出力されている間に前記キー入力部の少なくとも一つのキー入力がある場合、前記メッセージ細部内容がスライド方式によって前記表示部に出力されている間に前記キー入力部の少なくとも一つのキー入力がある場合、前記移動端末機は、コールバック用ＵＲＬアドレスを用いて前記コンテンツ提供サーバーに接続して詳細な内容を前記移動端末機の表示部に出力することを特徴とする。また、前記コンテンツＩＤが高い重要度等級の場合、前記メッセージの細部内容が表示部に出力されることを特徴とする。
【００２５】
本発明の他の観点によれば、有無線通信網を介してサービス管理サーバー及び少なくとも一つのコンテンツ提供サーバーと結合し、メモリ、制御部、表示部及びキー入力部を含み、待機画面占有代表型アプリケーションが搭載された移動端末機の表示部に待機モードでイメージを出力する方法において、前記サービス管理サーバーから少なくとも一つのイメージ情報をダウンロードする段階−ここで、前記イメージ情報は前記移動端末機のユーザによって予め設定されたイメージを提供する前記コンテンツ提供サーバーで生成されたものである−；前記イメージ情報を前記メモリに格納する段階；待機モードで前記制御部の制御を受け、前記待機画面占有代表型アプリケーションを駆動する段階；前記待機画面占有代表型アプリケーションによって前記イメージ情報を抽出する段階；抽出された前記イメージ情報に基づいて前記イメージを前記表示部に出力する段階；前記サービス管理サーバーへ第１イメージ変更要請信号を伝送する段階−ここで、前記サービス管理サーバーは前記第１イメージ変更要請信号に相応して前記コンテンツ提供サーバーへ第２イメージ変更要請信号を伝送し、これに応答してイメージ変更情報を受信する−；前記サービス管理サーバーから前記イメージ変更情報に相応してイメージ変更メッセージを受信する段階；及び前記イメージ変更メッセージに基づいて前記イメージを変更して前記表示部に出力する段階を含む、待機モードでイメージを移動端末機の表示部に出力する方法が提供される。
【００２６】
前記方法は、前記移動端末機のフォルダーオープンイベント、前記キー入力部のキー入力イベント、タイマーイベント、及びアラームイベントのいずれか一つにより予め定められた方式によって前記イメージを変更して前記表示部に出力する段階をさらに含むことを特徴とする。
【００２７】
好適な一実施例において、前記移動端末機のフォルダーオープンイベント及び前記キー入力部のキー入力イベントのいずれか一つにより予め定められた方式によって前記サービス管理サーバーへ前記第１イメージ変更要請信号が伝送されることを特徴とする。
【００２８】
本発明の別の観点によれば、有無線通信網を介してサービス管理サーバー及び少なくとも一つのコンテンツ提供サーバーと結合し、メモリ、制御部、表示部及びキー入力部を含み、待機画面占有代表型アプリケーションが搭載された移動端末機の表示部に待機モードでイメージを出力する方法において、前記サービス管理サーバーから少なくとも一つのイメージ情報をダウンロードする段階−ここで、前記イメージ情報は前記移動端末機のユーザによって予め設定されたイメージを提供する前記コンテンツ提供サーバーで生成されたものである−；前記イメージ情報を前記メモリに格納する段階；待機モードで前記制御部の制御を受け、前記待機画面占有代表型アプリケーションを駆動する段階；前記待機画面占有代表型アプリケーションによって前記イメージ情報を抽出する段階；抽出された前記イメージ情報に基づいて前記イメージを前記表示部に出力する段階；前記コンテンツ提供サーバーへイメージ変更要請信号を伝送する段階；前記イメージ変更要請信号に応答して前記コンテンツ提供サーバーからイメージ変更メッセージを受信する段階；及び前記イメージ変更メッセージに基づいて前記イメージを変更して前記表示部に出力する段階を含む、待機モードでイメージを移動端末機の表示部に出力する方法が提供される。
【００２９】
本発明の別の観点によれば、有無線通信網を介して少なくとも一つの移動端末機及び少なくとも一つのコンテンツ提供サーバーと結合するサービス管理サーバーから移動端末機の待機モードでメッセージを移動端末機の表示部に出力する方法において、前記移動端末機からサービス設定情報を受信する段階−ここで、前記サービス設定情報は前記移動端末機の表示部に出力する掲示用メッセージ及びイメージの少なくとも一つに関連したコンテンツ種類を含む−；前記サービス設定情報に基づいて前記コンテンツ提供サーバーへコンテンツ要求信号を伝送する段階；前記コンテンツ要求信号に応答してコンテンツを受信する段階；前記コンテンツをメッセージの形に加工する段階；及び加工された前記メッセージを前記移動端末機へ伝送する段階を含み、前記移動端末機は、受信した前記メッセージをメモリに格納し、待機モードで前記待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、移動端末機の待機モードでメッセージを移動端末機の表示部に出力する方法が提供される。
【００３０】
本発明の別の観点によれば、有無線通信網を介してサービス管理サーバー及びコンテンツ提供サーバーと結合して待機モードでメッセージを表示部に出力し、メモリ、制御部、表示部及びキー入力部を含み、待機画面占有代表型アプリケーションが搭載された移動端末機において、前記サービス管理サーバーから少なくとも一つのメッセージを受信する手段−ここで、前記メッセージは前記移動端末機のユーザによって予め設定された受信を所望する情報を提供する前記コンテンツ提供サーバーから提供する情報に基づいてサービス管理サーバーで生成したものである−；前記メッセージが掲示用メッセージであるか否かを判断する手段；前記判断の結果、前記メッセージが掲示用メッセージであれば、前記メッセージを前記メモリに格納する手段；待機モードで前記制御部の制御によって前記待機画面占有代表型アプリケーションを駆動する手段；前記待機画面占有代表型アプリケーションによって前記メッセージを抽出する手段；及び抽出された前記メッセージを前記表示部に出力する手段を含む、移動端末機が提供される。
【００３１】
本発明の別の観点によれば、有無線通信網を介してサービス管理サーバー及び少なくとも一つのコンテンツ提供サーバーと結合して待機モードでイメージを表示部に出力し、メモリ、制御部、表示部及びキー入力部を含み、待機画面占有代表型アプリケーションが搭載された移動端末機において、前記サービス管理サーバーから少なくとも一つのイメージ情報をダウンロードする手段−ここで、前記イメージ情報は前記移動端末機のユーザによって予め設定されたイメージを提供する前記コンテンツ提供サーバーで生成されたものである−；前記イメージ情報を前記メモリに格納する手段；待機モードで前記制御部の制御を受け、前記待機画面占有代表型アプリケーションを駆動する手段；前記待機画面占有代表型アプリケーションによって前記イメージ情報を抽出する手段；抽出された前記イメージ情報に基づいて前記イメージを前記表示部に出力する手段；前記サービス管理サーバーへ第１イメージ変更要請信号を伝送する手段−ここで、前記サービス管理サーバーは前記第１イメージ変更要請信号に相応して前記コンテンツ提供サーバーへ第２イメージ変更要請信号を伝送し、これに応答してイメージ変更情報を受信する−；前記サービス管理サーバーから前記イメージ変更情報に相応してイメージ変更メッセージを受信する手段；及び前記イメージ変更情報メッセージに基づいて前記イメージを変更して前記表示部に出力する手段を含むとを含む、移動通信端末機が提供される。
【００３２】
本発明の別の観点によれば、有無線通信網を介してサービス管理サーバー及び少なくとも一つのコンテンツ提供サーバーと結合して待機モードでイメージを表示部に出力し、メモリ、制御部、表示部及びキー入力部を含み、待機画面占有代表型アプリケーションが搭載された移動端末機において、前記サービス管理サーバーから少なくとも一つのイメージ情報をダウンロードする手段−ここで、前記イメージ情報は移動端末機のユーザによって予め設定されたイメージを提供する前記コンテンツ提供サーバーで生成されたものである−；前記イメージ情報を前記メモリに格納する手段；待機モードで前記制御部の制御を受け、前記待機画面占有代表型アプリケーションを駆動する手段；前記待機画面占有代表型アプリケーションによって前記イメージ情報を抽出する手段；抽出された前記イメージ情報に基づいて前記イメージを前記表示部に出力する手段；前記コンテンツ提供サーバーへ前記イメージ変更要請信号を伝送する手段；前記イメージ変更要請信号に応答して前記コンテンツ提供サーバーからイメージ変更メッセージを受信する手段；及び前記イメージ変更メッセージに基づいて前記イメージを変更して前記表示部に出力する手段とを含む、移動端末機が提供される。
【００３３】
本発明の別の観点によれば、有無線通信網を介して少なくとも一つの移動端末機及び少なくとも一つのコンテンツ提供サーバーと結合して移動端末機の待機モードでメッセージを移動端末機の表示部に出力するサービス管理サーバーにおいて、前記移動端末機からサービス設定情報を受信する手段−ここで、前記サービス設定情報は前記移動端末機の表示部に出力する掲示用メッセージ及びイメージの少なくとも一つに関連したコンテンツ種類を含む−；前記サービス設定情報に基づいて前記コンテンツ提供サーバーへコンテンツ要求信号を伝送する手段；前記コンテンツ要求信号に応答してコンテンツを受信する手段；前記コンテンツをメッセージの形に加工する手段；及び加工された前記メッセージを前記移動端末機へ伝送する手段を含み、前記移動端末機は、受信した前記メッセージをメモリに格納し、待機モードで前記待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、サービス管理サーバーが提供される。
【００３４】
本発明の別の観点によれば、有無線通信網を介してサービス管理サーバー及びコンテンツ提供サーバーと結合して待機モードでメッセージを表示部に出力し、メモリ、制御部、表示部及びキー入力部を含み、待機画面占有代表型アプリケーションが搭載された移動端末機において、プログラムが格納されているメモリと、前記メモリに結合して前記プログラムを実行するプロセッサとを含み、前記プロセッサは、前記プログラムによって、前記サービス管理サーバーから少なくとも一つのメッセージを受信し−ここで、前記メッセージは前記移動端末機のユーザによって予め設定された受信を所望する情報を提供する前記コンテンツ提供サーバーから提供する情報に基づいてサービス管理サーバーで生成したものである−、前記メッセージが掲示用メッセージであるか否かを判断し、前記判断の結果、前記メッセージが掲示用メッセージであれば、前記メッセージを前記メモリに格納し、待機モードで前記制御部の制御によって前記待機画面占有代表型アプリケーションを駆動し、前記待機画面占有代表型アプリケーションによって前記メッセージを抽出し、抽出された前記メッセージを前記表示部に出力することを特徴とする、移動端末機が提供される。
【００３５】
本発明の別の観点によれば、有無線通信網を介してサービス管理サーバー及び少なくとも一つのコンテンツ提供サーバーと結合して待機モードでイメージを表示部に出力し、メモリ、制御部、表示部及びキー入力部を含み、待機画面占有代表型アプリケーションが搭載された移動端末機において、プログラムが格納されているメモリと、前記メモリに結合して前記プログラムを実行するプロセッサとを含み、前記プロセッサは、前記プログラムによって、前記サービス管理サーバーから少なくとも一つのイメージ情報をダウンロードし−ここで、前記イメージ情報は前記移動端末機のユーザによって予め設定されたイメージを提供する前記コンテンツ提供サーバーで生成されたものである−、前記イメージ情報を前記メモリに格納し、待機モードで前記制御部の制御を受けて前記待機画面占有代表型アプリケーションを駆動し、前記待機画面占有代表型アプリケーションによって前記イメージ情報を抽出し、抽出された前記イメージ情報に基づいて前記イメージを前記表示部に出力し、前記サービス管理サーバーへ第１イメージ変更要請信号を伝送し−ここで、前記サービス管理サーバーは前記第１イメージ変更要請信号に相応して前記コンテンツ提供サーバーへ第２イメージ変更要請信号を伝送し、これに応答してイメージ変更情報を受信する−、前記サービス管理サーバーから前記イメージ変更情報に相応してイメージ変更メッセージを受信し、前記イメージ変更情報メッセージに基づいて前記イメージを変更して前記表示部に出力することを特徴とする、移動端末機が提供される。
【００３６】
本発明の別の観点によれば、有無線通信網を介して少なくとも一つの移動端末機及び少なくとも一つのコンテンツ提供サーバーと結合して移動端末機の待機モードでメッセージを移動端末機の表示部に出力するサービス管理サーバーにおいて、プログラムが格納されているメモリと、前記メモリに結合して前記プログラムを実行するプロセッサとを含み、前記プロセッサは、前記プログラムによって、前記移動端末機からサービス設定情報を受信し−ここで、前記サービス設定情報は前記移動端末機の表示部に出力する掲示用メッセージ及びイメージの少なくとも一つに関連したコンテンツ種類を含む−、前記サービス設定情報に基づいて前記コンテンツ提供サーバーへコンテンツ要求信号を伝送し、前記コンテンツ要求信号に応答してコンテンツを受信し、前記コンテンツをメッセージの形に加工し、加工された前記メッセージを前記移動端末機へ伝送し、前記移動端末機は、受信した前記メッセージをメモリに格納し、待機モードで前記待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、サービス管理サーバーが提供される。
【００３７】
本発明の別の観点によれば、移動通信網を介してサービス管理サーバーと結合する移動端末機で行う待機モード用アプリケーション駆動方法において、前記サービス管理サーバーへコンテンツ情報要請信号を伝送する段階；前記サービス管理サーバーから前記コンテンツ情報要請信号に相応するコンテンツ情報を受信する段階−ここで、前記サービス管理サーバーはコンテンツ別にサービスチャネルを与える−；前記コンテンツ情報に基づいてアプリケーション応答パケットを構成する段階；前記アプリケーション応答パケットに基づいて待機モードでコンテンツリストを出力する段階を含み、前記出力されるコンテンツリストには、ショートカット機能を含む少なくとも一つのコンテンツ項目を含むことを特徴とする、待機モード用アプリケーション駆動方法が提供される。
【００３８】
好適な実施例において、前記方法は、前記アプリケーション応答パケットを構成する前には、前記待機モードで待機画面占有代表型アプリケーションを駆動する段階をさらに含むことができる。また、前記方法は、前記待機画面占有代表型アプリケーションを出力する途中でユーザからエージェントキーが入力されると、アプリケーション情報リストを出力する段階をさらに含むことを特徴とする。また、前記方法は、前記アプリケーション情報リストに基づいてユーザから指定アプリケーション項目に対する選択信号の入力を受ける段階と、前記選択信号に応答して、指定アプリケーションを駆動する段階とをさらに含むことができる。
【００３９】
本発明の別の観点によれば、移動通信網を介してサービス管理サーバーと結合し、待機モード用アプリケーション駆動方法を行う移動端末機において、プログラムが格納されているメモリと、前記メモリに結合して前記プログラムを実行するプロセッサとを含み、前記プロセッサは、前記プログラムによって、前記サービス管理サーバーへコンテンツ情報要請信号を伝送する段階；前記サービス管理サーバーから前記コンテンツ情報要請信号に相応するコンテンツ情報を受信する段階−ここで、前記サービス管理サーバーはコンテンツ別にサービスチャネルを与える−；前記コンテンツ情報に基づいてアプリケーション応答パケットを構成する段階；及び前記アプリケーション応答パケットに基づいて待機モードでコンテンツリストを出力する段階を行い、前記出力されるコンテンツリストには、ショートカット機能を含む少なくとも一つのコンテンツ項目を含むことを特徴とする、移動端末機が提供される。
【００４０】
本発明の別の観点によれば、有無線通信網を介して少なくとも一つの移動端末機及び少なくとも一つのコンテンツ提供サーバーと結合するサービス管理サーバーから待機モード用コンテンツを前記移動端末機へ提供する方法において、前記コンテンツ提供サーバーへ一定の周期でコンテンツ情報要請信号を伝送する段階；前記コンテンツ情報要請信号に応答してコンテンツ情報を受信する段階；前記受信されたコンテンツ情報に基づいてサーバー内の現在コンテンツ情報をアップデートする段階；前記移動端末機からコンテンツ情報要請信号を受信する段階；前記コンテンツ情報要請信号に相応する前記コンテンツ情報をメッセージの形に加工する段階；及び加工された前記メッセージを前記移動端末機へ伝送する段階を含み、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、待機モード用コンテンツを移動端末機へ提供する方法が提供される。
【００４１】
好適な一実施例において、前記待機画面占有代表型アプリケーションは、予め前記移動端末機が前記サービス管理サーバーからダウンロードすることを特徴とする。また、前記待機画面占有代表型アプリケーションは、前記移動端末機のモバイルプラットフォームで動作することを特徴とする。また、前記モバイルプラットフォームは、ＧＶＭ、ＳＫ−ＶＭ、ＫＶＭ、ＭＡＰ、ＢＲＥＷ及びＷＩＰＩのいずれか一つであることを特徴とする。また、前記メッセージは、メッセージヘッダー、メッセージ掲示内容、及びメッセージ細部内容を含むことを特徴とする。また、前記メッセージヘッダーは、Ｔｅｌｅｓｖｃ−ｉｄ、格納時間、コンテンツＩＤ、及びコールバック用ＵＲＬアドレスを含むことを特徴とする。また、前記メッセージが前記メッセージヘッダーにＴｅｌｅｓｖｃ−ｉｄを含む場合、前記メッセージは、掲示用メッセージと判断され、前記待機画面占有代表型アプリケーションによって前記移動端末機のメモリに格納されることを特徴とする。また、前記メッセージは、前記メッセージ掲示内容がスライド方式によって前記表示部に出力されることを特徴とする。
【００４２】
本発明の別の観点によれば、有無線通信網を介して少なくとも一つの移動端末機及び少なくとも一つのコンテンツ提供サーバーと結合するサービス管理サーバーから待機モード用コンテンツを前記移動端末機へ提供する方法において、前記コンテンツ提供サーバーからコンテンツがアップデートされる度に、アップデートされたコンテンツ情報を前記コンテンツ提供サーバーから受信する段階；前記受信されたコンテンツ情報に基づいてサーバー内の現在コンテンツ情報をアップデートする段階；前記移動端末機からコンテンツ情報要請信号を受信する段階；前記コンテンツ情報要請信号に相応する前記コンテンツ情報をメッセージの形に加工する段階；及び加工された前記メッセージを前記移動端末機へ伝送する段階を含み、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、待機モード用コンテンツを移動端末機へ提供する方法が提供される。
【００４３】
本発明の別の観点によれば、有無線通信網を介して少なくとも一つの移動端末機及び少なくとも一つのコンテンツ提供サーバーと結合するサービス管理サーバーから待機モード用コンテンツを前記移動端末機へ提供する方法において、前記コンテンツ提供サーバーへ一定の周期でコンテンツ情報要請信号を伝送する段階；前記コンテンツ情報要請信号に応答してコンテンツ情報を受信する段階；前記受信されたコンテンツ情報に基づいてサーバー内の現在コンテンツ情報をアップデートする段階；前記移動端末機のコンテンツ現況とコンテンツ情報アップデート現況とを比較する段階；前記比較結果、コンテンツアップデート現況が前記移動端末機のコンテンツ現況より最新の場合、前記コンテンツ情報をメッセージの形に加工する段階；及び加工された前記メッセージを前記移動端末機へ伝送する段階を含み、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、待機モード用コンテンツを移動端末機へ提供する方法が提供される。
【００４４】
本発明の別の観点によれば、有無線通信網を介して少なくとも一つの移動端末機及び少なくとも一つのコンテンツ提供サーバーと結合するサービス管理サーバーから待機モード用コンテンツを前記移動端末機へ提供する方法において、前記コンテンツ提供サーバーからコンテンツがアップデートされる度に、アップデートされたコンテンツ情報を前記コンテンツ提供サーバーから受信する段階；前記受信されたコンテンツ情報に基づいてサーバー内の現在コンテンツ情報をアップデートする段階；前記移動端末機のコンテンツ現況とコンテンツ情報アップデート現況とを比較する段階；前記比較結果、コンテンツアップデート現況が前記移動端末機のコンテンツ現況より最新の場合、前記コンテンツ情報をメッセージの形に加工する段階；及び加工された前記メッセージを前記移動端末機へ伝送する段階を含み、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、待機モード用コンテンツを移動端末機へ提供する方法が提供される。
【００４５】
本発明の別の観点によれば、有無線通信網を介して少なくとも一つの移動端末機及び少なくとも一つのコンテンツ提供サーバーと結合して待機モード用コンテンツを前記移動端末機へ提供するサービス管理サーバーにおいて、前記コンテンツ提供サーバーへ一定の周期でコンテンツ情報要請信号を伝送する手段；前記コンテンツ情報要請信号に応答してコンテンツ情報を受信する手段；前記受信されたコンテンツ情報に基づいてサーバー内の現在コンテンツ情報をアップデートする手段；前記移動端末機からコンテンツ情報要請信号を受信する手段；前記コンテンツ情報要請信号に相応する前記コンテンツ情報をメッセージの形に加工する手段；及び加工された前記メッセージを前記移動端末機へ伝送する手段を含み、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、サービス管理サーバーが提供される。
【００４６】
本発明の別の観点によれば、有無線通信網を介して少なくとも一つの移動端末機及び少なくとも一つのコンテンツ提供サーバーと結合して待機モード用コンテンツを前記移動端末機へ提供するサービス管理サーバーにおいて、前記コンテンツ提供サーバーからコンテンツがアップデートされる度に、アップデートされたコンテンツ情報を前記コンテンツ提供サーバーから受信する手段；前記受信されたコンテンツ情報に基づいてサーバー内の現在コンテンツ情報をアップデートする手段；前記移動端末機からコンテンツ情報要請信号を受信する手段；前記コンテンツ情報要請信号に相応する前記コンテンツ情報をメッセージの形に加工する手段；及び加工された前記メッセージを前記移動端末機へ伝送する手段を含み、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、サービス管理サーバーが提供される。
【００４７】
本発明の別の観点によれば、有無線通信網を介して少なくとも一つの移動端末機及び少なくとも一つのコンテンツ提供サーバーと結合して待機モード用コンテンツを前記移動端末機へ提供するサービス管理サーバーにおいて、前記コンテンツ提供サーバーへ一定の周期でコンテンツ情報要請信号を伝送する手段；前記コンテンツ情報要請信号に応答してコンテンツ情報を受信する手段；前記受信されたコンテンツ情報に基づいてサーバー内の現在コンテンツ情報をアップデートする手段；前記移動端末機のコンテンツ現況とコンテンツ情報アップデート現況とを比較する手段；前記比較結果、コンテンツアップデート現況が前記移動端末機のコンテンツ現況より最新の場合、前記コンテンツ情報をメッセージの形に加工する手段；及び加工された前記メッセージを前記移動端末機へ伝送する手段を含み、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、サービス管理サーバーが提供される。
【００４８】
本発明の別の観点によれば、有無線通信網を介して少なくとも一つの移動端末機及び少なくとも一つのコンテンツ提供サーバーと結合して待機モード用コンテンツを前記移動端末機へ提供するサービス管理サーバーにおいて、前記コンテンツ提供サーバーからコンテンツがアップデートされる度に、アップデートされたコンテンツ情報を前記コンテンツ提供サーバーから受信する手段；前記受信されたコンテンツ情報に基づいてサーバー内の現在コンテンツ情報をアップデートする手段；前記移動端末機のコンテンツ現況とコンテンツ情報アップデート現況とを比較する手段；前記比較結果、コンテンツアップデート現況が前記移動端末機のコンテンツ現況より最新の場合、前記コンテンツ情報をメッセージの形に加工する手段；及び加工された前記メッセージを前記移動端末機へ伝送する手段を含み、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、サービス管理サーバーが提供される。
【００４９】
本発明の別の観点によれば、有無線通信網を介して少なくとも一つの移動端末機及び少なくとも一つのコンテンツ提供サーバーと結合して待機モード用コンテンツを前記移動端末機へ提供するサービス管理サーバーにおいて、プログラムが格納されているメモリと、前記メモリに結合して前記プログラムを実行するプロセッサとを含み、前記プロセッサは、前記プログラムによって、前記コンテンツ提供サーバーへ一定の周期でコンテンツ情報要請信号を伝送し、前記コンテンツ情報要請信号に応答してコンテンツ情報を受信し、前記コンテンツ情報に基づいてコンテンツ情報をアップデートし、前記移動端末機からコンテンツ情報要請信号を受信し、前記コンテンツ情報要請信号に相応する前記コンテンツ情報をメッセージの形に加工し、加工された前記メッセージを前記移動端末機へ伝送し、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、サービス管理サーバーが提供される。
【００５０】
本発明の別の観点によれば、有無線通信網を介して少なくとも一つの移動端末機及び少なくとも一つのコンテンツ提供サーバーと結合して待機モード用コンテンツを前記移動端末機へ提供するサービス管理サーバーにおいて、プログラムが格納されているメモリと、前記メモリに結合して前記プログラムを実行するプロセッサとを含み、前記プロセッサは、前記プログラムによって、前記コンテンツ提供サーバーからコンテンツがアップデートされる度に、アップデートされたコンテンツ情報を前記コンテンツ提供サーバーから受信し、前記コンテンツ情報に基づいてコンテンツ情報をアップデートし、前記移動端末機からコンテンツ情報要請信号を受信し、前記コンテンツ情報要請信号に相応する前記コンテンツ情報をメッセージの形に加工し、加工された前記メッセージを前記移動端末機へ伝送し、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、サービス管理サーバーが提供される。
【００５１】
本発明の別の観点によれば、有無線通信網を介して少なくとも一つの移動端末機及び少なくとも一つのコンテンツ提供サーバーと結合して待機モード用コンテンツを前記移動端末機へ提供するサービス管理サーバーにおいて、プログラムが格納されているメモリと、前記メモリに結合して前記プログラムを実行するプロセッサとを含み、前記プロセッサは、前記プログラムによって、前記コンテンツ提供サーバーへ一定の周期でコンテンツ情報要請信号を伝送し、前記コンテンツ情報要請信号に応答してコンテンツ情報を受信し、前記コンテンツ情報に基づいてコンテンツ情報をアップデートし、前記移動端末機のコンテンツ現況とコンテンツ情報アップデート現況とを比較し、前記比較結果、コンテンツアップデート現況が前記移動端末機のコンテンツ現況より最新の場合、前記コンテンツ情報をメッセージの形に加工し、加工された前記メッセージを前記移動端末機へ伝送し、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とすることを特徴とする、サービス管理サーバーが提供される。
【００５２】
本発明の別の観点によれば、有無線通信網を介して少なくとも一つの移動端末機及び少なくとも一つのコンテンツ提供サーバーと結合して待機モード用コンテンツを前記移動端末機へ提供するサービス管理サーバーにおいて、プログラムが格納されているメモリと、前記メモリに結合して前記プログラムを実行するプロセッサとを含み、前記プロセッサは、前記プログラムによって、前記コンテンツ提供サーバーからコンテンツがアップデートされる度に、アップデートされたコンテンツ情報を前記コンテンツ提供サーバーから受信し、前記コンテンツ情報に基づいてコンテンツ情報をアップデートし、前記移動端末機のコンテンツ現況とコンテンツ情報アップデート現況とを比較し、前記比較結果、コンテンツアップデート現況が前記移動端末機のコンテンツ現況より最新の場合、前記コンテンツ情報をメッセージの形に加工し、加工された前記メッセージを前記移動端末機へ伝送し、前記移動端末機は、受信した前記メッセージをメモリに格納し、待機モードで待機画面占有代表型アプリケーションを駆動し、前記待機画面占有代表型アプリケーションによって前記メッセージを抽出して前記メッセージを掲示用メッセージ及びイメージの少なくとも一つの形で表示部に出力することを特徴とする、サービス管理サーバーが提供される。
【発明の効果】
【００５３】
本発明によれば、短文メッセージサービス及びセル放送サービスによって受信したメッセージを待機モードで掲示板の形で表示部に出力する方法及び装置を提供することができる。
【００５４】
また、本発明によれば、移動端末機で発生するイベントによって待機画面のイメージを変更することが可能な方法及び装置を提供することができる。
【００５５】
また、本発明によれば、待機画面占有代表型アプリケーションによって移動端末機で待機画面を占有しながらメッセージ及びイメージを待機状態で表示部に出力することが可能な方法及び装置を提供することができる。
【００５６】
また、本発明によれば、移動通信加入者に所望する情報を待機画面に容易且つ迅速に伝達することが可能な方法及び装置を提供することができる。
【００５７】
また、本発明によれば、無線インターネットの活性化を誘導し、移動通信事業者の立場からも売り上げ増大の効果を期待することができる。
【００５８】
また、本発明によれば、ユーザの所望するコンテンツを表示するための指定アプリケーションを提供することができる。
【００５９】
また、本発明によれば、ユーザによって選択された指定アプリケーションを待機モードでショートカット機能活用型のリストの形で提供することにより、多様な情報を容易且つ迅速に伝達することができる。
【００６０】
また、本発明によれば、ユーザによって選択された指定アプリケーションに対する駆動終了の後、待機モードで指定アプリケーションを自動的に駆動することができる。
【００６１】
また、本発明によれば、ユーザの所望する形態、時間、方式で出力するための待機モード用コンテンツを提供することができる。
【００６２】
また、本発明によれば、待機モード用コンテンツをユーザの所望する時間にチッカーの形で提供することにより、多様な情報を容易且つ迅速に伝達することができる。
【００６３】
また、本発明によれば、待機モード用コンテンツをユーザの所望する時間に提供することにより、広告、教育、暗記の用途として使用することができる。
【発明を実施するための最良の形態】
【００６４】
以下、添付図面を参照して本発明の好適な実施例を詳細に説明する。
【実施例１】
【００６５】
図３は本発明の第１実施例に係るサービスを提供するための装置の構成を概略的に示す図である。
【００６６】
図３を参照すると、待機画面サービス提供システムは、移動端末機３０１、サービス管理サーバー３０５、コンテンツ提供サーバー３０７、短文メッセージサービスセンター(ＳＭＳＣ；Short Messaging Service Center)３０９、及びセル放送サービスセンター(ＣＢＳＣ；Cell Broadcasting Service Center)３１１を含む。
【００６７】
移動端末機３０１は、モバイルプラットフォームが搭載されており、本発明に係る待機画面占有代表型アプリケーションを設置することができ、メッセージのやり取りを行うことができる機能を含む。移動端末機３０１は、有無線通信網３０３を介してサービス管理サーバー３０５と結合して通信を行い、サービス管理サーバー３０５からメッセージを受信してメッセージを待機モードで掲示板の形で出力する機能を含む。移動端末機は、携帯電話、ＰＤＡホーン、スマートホーン、ノートブック、タブレットＰＣなどを含む。
【００６８】
サービス管理サーバー３０５は、移動端末機３０１へ本発明に係る待機画面占有代表型アプリケーションを提供する。また、サービス管理サーバー３０５は、移動端末機３０１で設定したコンテンツを提供するコンテンツ提供サーバー３０７からコンテンツを受け取り、掲示用メッセージ及び待機画面イメージに加工して短文メッセージサービスセンター３０９及びセル放送サービスセンター３１１を経由して移動端末機へ伝送する機能を行う。
【００６９】
コンテンツ提供サーバー３０７は、既存の移動端末機の様々なコンテンツを提供する機能をそのまま含み、本発明に係るコンテンツ情報をサービス管理サーバー３０５へ提供する機能をさらに含む。
【００７０】
短文メッセージサービスセンター３０９及びセル放送サービスセンター３１１は、既存の無線通信網における機能をそのまま含み、サービス管理サーバー３０５からメッセージ情報を受信して本発明のサービスによるメッセージの形で移動端末機３０１へ伝送する機能をさらに含む。
【００７１】
次に、構成を参照して、本発明に係るサービスを提供する方法を概略的に説明する。まず、移動端末機３０１のユーザは、有無線通信網を介してサービス管理サーバー３０５に接続して本発明に係るサービスに加入した後、待機画面占有代表型アプリケーションをダウンロードして移動端末機に設置する。移動端末機３０１は、待機画面占有代表型アプリケーションを実行して所望のコンテンツを設定することができる。また、待機モードで表示部に出力するイメージをサービス管理サーバー３０５またはコンテンツ提供サーバー３０７から受信することができる。その後、サービス管理サーバー３０５は、移動端末機で設定したコンテンツを提供するコンテンツ提供サーバー３０７からコンテンツ情報を受け取り、本発明に係るメッセージの形に加工して移動端末機３０１へ伝送する。移動端末機３０１は、受信したメッセージをメモリに格納した後、待機モードで待機画面占有代表型アプリケーションを駆動し、格納されたメッセージを掲示板の形で出力し且つイメージを待機画面へ出力する。また、移動端末機３０１は、予め設定されたシナリオによってフォルダーをオープンし、或いはキー入力によるイベントによってイメージを自動的に変更することができる。また、移動端末機は、イベントによってサービス管理サーバーへイメージ変更要請信号を伝送し、これに応答してイメージ変更情報を受信してイメージ変更情報に基づいて待機画面のイメージを変更することができる。
【００７２】
図４は本発明の第１実施例に係る待機画面占有サービスを提供するための移動端末機の構成を示す図である。
【００７３】
図４を参照すると、本発明が適用された移動端末機は、制御部（ＣＰＵ）４０１、制御部４０１の制御を受け、移動端末機の各種機能及び動作の入力を担当するキー入力部４０３、表示部４０５、メモリ４０７、音声処理部４０９及び送受信部４１１を含む。
【００７４】
制御部４０１は、送受信部４１１で処理された信号を受け、移動端末機の全般的な動作を制御する。また、本発明に係る移動端末機が待機モードに進入する場合、待機画面占有代表型アプリケーションを駆動し、受信したメッセージを掲示板の形で表示部４０５に出力し、待機画面イメージを変更し得るように制御する。そして、制御部４０１は、備えられる各種構成の制御を行う。
【００７５】
表示部４０５は、液晶表示装置（ＬＣＤ）などの表示装置であって、制御部４０１の制御を受け、移動端末機の状態またはプログラムの進行状況を表示する。すなわち、表示部４０５は、移動端末機の全般的な状態及び入力されるユーザ情報などを表示する。また、表示部４０５は、移動端末機の待機モードでメッセージを掲示板の形式で出力し、イメージを待機画面に出力する機能をさらに含む。
【００７６】
メモリ４０７には、制御部４０１の動作プログラム、システムプログラムが格納される。動作プログラムまたはシステムプログラムは、通常、含まれたＲＯＭ領域に格納され、必要に応じて、消去が可能である。電気的に消去可能なＲＯＭとしては、ＥＥＰＲＯＭやフラッシュメモリなどがある。そして、メモリ４０７はまた、いろいろの動作プログラム中に発生するデータを一時格納するＲＡＭを含む。動作プログラムは、本発明に係る待機画面占有代表型アプリケーションを含む。また、メモリ４０７は、サービス管理サーバーから受信したメッセージを格納する機能をさらに含む。
【００７７】
音声処理部４０９は、マイクロホーンから入力された音声信号を変調して音声データに変換し、送受信部４１１から入力された音声データ及びメモリ４０７に格納された音声データを音声信号に復調して、スピーカーを介して音声として出力する機能を行う。
【００７８】
送受信部４１１は、制御部４０１の制御を受け、制御部４０１から出力される信号を無線信号に変換し、アンテナを介して受信される無線信号を所望の信号に変換して出力する機能を行う。
【００７９】
次に、構成を持つ移動端末機において待機モードでメッセージ及びイメージを表示部に出力する方法を説明する。移動端末機のユーザは、サービス管理サーバーから提供する待機画面占有代表型アプリケーションを送受信部４１１を介してダウンロードし、或いはパーソナルコンピュータとケーブルによって連結して待機画面占有代表型アプリケーションをメモリ４０７内に格納して設置する。ユーザは、キー入力部４０３の少なくとも一つのキー入力を行うことにより、待機画面占有代表型アプリケーションを実行させ、待機モードで待機画面へ出力するイメージ及び掲示板の形式で出力する受信したいメッセージを選択する。移動端末機は、選択によるサービス設定要求信号をサービス管理サーバーへ伝送してサービス設定を完了し、これに応答してイメージまたは掲示板の形で出力するメッセージを受信する。設定過程は、待機画面占有代表型アプリケーションを実行せず、インターネット、ＡＲＳなど有無線通信によってサービス管理サーバーに接続して遂行できる。以後、キー入力部４０３の終了ボタンが入力されるか、一定の時間キー入力がない場合、移動端末機は、制御部４０１の制御を受けて待機モードに進入する。この際、移動端末機は、制御部４０１の制御によって待機画面占有代表型アプリケーションを駆動することにより、イメージを待機画面に出力し、サービス管理サーバーから受信して、メモリ４０７に格納されたメッセージを掲示板の形式で表示部４０５に出力する。
【００８０】
図５は本発明の第１実施例に係る待機画面占有サービスを提供するための応用プログラムが設置される端末機のモバイルプラットフォームの構造を示す図である。
【００８１】
図５を参照すると、モバイルプラットフォームは、移動通信端末機ハードウェア５０１、端末機基本ソフトウェア５０３、ＨＡＬ(Handset Application Layer)５０５、ランタイムエンジン(Run Time Engine)５０７、基本ＡＰＩ５０９、ＡＰＩ管理者５１１、応用プログラム管理者５１３、拡張ＡＰＩ５１５及び応用プログラム５１７を含む。モバイルプラットフォームは、ＧＶＭ、ＳＫ−ＶＭ、ＫＶＭ、ＭＡＰ、ＢＲＥＷ及びＷＩＰＩを含んで既存のモバイルプラットフォームの機能をそのまま含む。また、モバイルプラットフォームは、本発明に係る待機画面占有代表型アプリケーションが移動通信端末機の待機画面を占有し、或いは待機含有占有状態から抜け出る場合、待機画面占有状態をサービス管理サーバーへ伝送する役割をさらに行う。
【００８２】
移動通信端末機ハードウェア５０１は、例えば携帯電話、ＰＤＡ、ＰＤＡホーン、スマートホーンなどの携帯可能な全ての移動通信端末または携帯端末を含むことができる。端末機基本ソフトウェア５０３は、端末機の基本動作のためのソフトウェア、ＬＣＤドライバー、ＫＰＤドライバー及びシリアルドライバーを含む。ＨＡＬ５０５は、プラットフォームのハードウェア独立性を維持するための抽象化階層であって、上位階層がＨＡＬ５０５上で移動通信端末機ハードウェア５０１と端末機基本ソフトウェア５０３に関係なく動作することが可能な独立性を支援する。
【００８３】
基本ＡＰＩ５０９は、応用プログラム開発者が使用するプラットフォームで支援する基本ＡＰＩコレクションである。基本ＡＰＩ５０９は、Ｃ ＡＰＩ及びＪａｖａ ＡＰＩを含んでいるため、プログラム開発者の便宜を提供することができる。ＡＰＩ管理者５１１は、プラットフォームの基本ＡＰＩ５０９と拡張ＡＰＩ５０５を更新、追加する機能を行う。また、ＡＰＩ管理者５１１は、応用プログラム管理者５１３もダウンロードすることが可能な機能を提供する。応用プログラム管理者５１３は、例えば応用プログラム５１７の情報表示、ダウンロード、インストール、実行、削除、保安管理などの全般的な管理機能を行う。拡張ＡＰＩ５１５は、モバイルプラットフォームの標準化が可能な候補であるＡＰＩのコレクションであって、多様なサービス提供のためのＡＰＩコレクションを提供する。  
【００８４】
応用プログラム５１７は、モバイルプラットフォームが搭載された端末機に設置され、端末機の環境または端末機の基本ソフトウェアとは関係なく動作できるアプリケーションをいう。応用プログラムは、本発明の一実施例に係る待機画面占有代表型アプリケーションを含む。
【００８５】
次に、構成を参照して、本発明に係るサービスを提供する方法について説明する。まず、移動通信端末機には、前述の構成を持つモバイルプラットフォームが搭載されている。移動通信端末機のユーザは、移動通信端末機のキー操作を行うことにより、応用プログラム管理者５１３を用いて、本発明に係る待機画面占有代表型アプリケーションを移動通信事業者またはサービス管理サーバーからダウンロードする。ここで、待機画面占有代表型アプリケーションは、２つ以上が移動通信端末機に設置できる。待機画面占有代表型アプリケーションは、Ｃ言語またはＪａｖａ言語で実現可能である。ユーザは、待機画面占有代表型アプリケーションを実行して待機画面占有代表型アプリケーションが待機画面を占有し得るように設定することができ、待機画面に出力するイメージを端末機内のメモリから選択し、或いは待機画面に出力するコンテンツを設定してサービス管理サーバーまたはコンテンツ提供サーバーから受信することができる。また、ユーザは、待機画面占有代表型アプリケーションを実行して待機モードで掲示板の形式で出力するコンテンツを設定することができる。また、ユーザは、待機画面占有代表型アプリケーションを実行して本発明に係るサービスを取り消すか、或いは変更することができる。一方、ユーザは、本発明に係るサービスを所望しない場合、応用プログラム管理者５１３を用いて待機画面占有代表型アプリケーションを削除することができる。
【００８６】
図６は本発明の第１実施例に係るサービス管理サーバーを示す構成図である。
【００８７】
図６を参照すると、サービス管理サーバーは、メモリシステム６２０、ここに結合して高速動作を行う少なくとも一つの中央処理装置(Central Processing Unit：ＣＰＵ)６１０、入力装置６３０及び通信装置６４０を含むことができる。
【００８８】
中央処理装置６１０は、計算を行うためのＡＬＵ(Arithmetic Logic Unit)６１２、データ及び命令語の一時的な格納のためのレジスタ６１４、及びサービス管理サーバーの動作を制御するためのコントローラー６１６を含む。中央処理装置６１０は、デジタル社のアルファ、ＭＩＰＳテクノロジー、ＮＥＣ、ＩＤＴ及びＳｉｅｍｅｎｓ社などのＭＩＰＳ、Ｉｎｔｅｌ、Ｃｙｒｉｘ、ＡＭＤ及びＮｅｘｇｅｎ社のｘ８６、並びにＩＢＭ、Ｍｏｔｏｒｏｌａ社のパワーＰＣなどの多様なアーキテクチャーを持つプロセッサであってもよい。
【００８９】
メモリシステム６２０は、一般に、例えばＲＡＭ(Random Access Memory)とＲＯＭ(Read Only Memory)などの記憶媒体タイプである高速のメインメモリ６２２と、例えばフロッピーディスク（登録商標）、ハードディスク、テープ、ＣＤ−ＲＯＭ、フラッシュメモリなどの長期記憶媒体タイプの補助メモリ６２４、及び電気、磁気、光学またはその他の記憶媒体を用いてデータを格納する装置を含む。また、メインメモリ６２２は、ディスプレイ装置を介してイメージを表示するビデオディスプレイメモリを含むことができる。
【００９０】
また、入力装置６３０は、キーボードやマウスなどを含む。マウスは、例えばタッチスクリーンまたはマイクロホーンなどの物理的変換器(physical transducer)などを含むことができる。通信装置６４０は、コンテンツ提供サーバー及び移動端末機等との通信を行うための通信インターフェースを含む。
【００９１】
図７は本発明の第１実施例に係るサービス管理サーバーのモジュール構成図である。
【００９２】
図７を参照すると、サービス管理サーバーは、コンテンツ提供サーバー及び移動端末機等との有無線通信を処理するための送受信処理モジュール７３２、本発明に係るサービスに加入された移動端末機を管理するユーザ端末管理モジュール７３４、移動端末機で設定したコンテンツを提供するために当該コンテンツ提供サーバーからコンテンツ情報を受信して移動端末機へ伝送する機能を行うコンテンツ管理モジュール７３６、及びコンテンツ提供サーバーからコンテンツ情報を受信し、移動端末機へ伝送するメッセージを生成するメッセージ生成モジュール７３８を含むことができる。このような応用モジュールを介して本発明の好適な一実施例に係るサービス管理サーバーの全体的な構成を考察すると、次の通りである。
【００９３】
サービス管理サーバーは、多様なＯＳ(Operating System)をシステムのＯＳとして使用することができる。このようなＯＳは、ＡＰＩ(Application Program Interface)７００にハイレベル命令語を提供して各応用モジュール７３０の動作を制御する。
【００９４】
サービス管理サーバーは、ＡＰＩ７００から提供されるハイレベル命令語に基づいて、対応する各応用モジュール７３０を識別し、ハイレベル命令語をデコードして当該箇所に提供するハイレベル命令語処理部７１０を含む。応用モジュール制御部７２０は、ハイレベル命令語処理部７１０から提供された命令語に基づいて応用モジュール７３０の動作を制御する。すなわち、ハイレベル命令語処理部７１０は、ＡＰＩ７００を介して提供されたハイレベル命令語に基づき、ここに対応する応用モジュール７３０が存在するかを識別し、対応する応用モジュール７３０が存在する場合、該当する応用モジュール７３０で認識し得る命令語にデコードして、当該マッピング部に伝送し或いはメッセージ伝送を制御する。ここで、応用モジュール７３０は、送受信処理モジュール７３２、ユーザ端末管理モジュール７３４、コンテンツ管理モジュール７３６及びメッセージ生成モジュール７３８を含む。応用モジュール制御部７２０は、各応用モジュールに対するマッピング部７２１、７２３、７２５、７２７とインターフェース部７２２、７２４、７２６、７２８をそれぞれ含む。
【００９５】
送受信処理モジュールマッピング部７２１は、ハイレベル命令語処理部７１０からコンテンツ提供サーバーまたは移動端末機等との有無線通信を行うためのハイレベル命令語を受け取り、送受信処理モジュール７３２で処理することが可能なデバイスレベル命令語にマッピングさせ、それを送受信処理モジュールインターフェース部７２２を介して送受信処理モジュール７３２へ提供する。また、送受信処理モジュール７３２は、必要に応じて、コンテンツ提供サーバーとのデータ送受信のための物理的伝送インターフェースを含むことができる。このような場合、物理的伝送インターフェースは、ＳＳ７音声網連動インターフェースまたはＴＣＰ／ＩＰ網連動インターフェースなどの通信インターフェースを含む。
【００９６】
ユーザ端末管理モジュール７３４は、サービスに加入された移動端末機を管理し、各移動端末機によるサービス設定内容を格納する部分である。すなわち、ユーザ端末管理モジュールマッピング部７２３は、ハイレベル命令語処理部７１０から移動端末機を管理するためのハイレベル命令語を受け取り、ユーザ端末管理モジュール７３４が認識し得るデバイスレベル命令語にマッピングさせ、それをユーザ端末管理モジュールインターフェース部７２４を介してユーザ端末管理モジュール７３４へ提供する。
【００９７】
コンテンツ管理モジュール７３６は、移動端末機へ適切なメッセージを提供するためにコンテンツ提供サーバーから受信したコンテンツ情報を管理する部分である。すなわち、コンテンツ管理モジュールマッピング部７２５は、コンテンツ提供サーバーから受信したコンテンツ情報を管理するためのハイレベル命令語をハイレベル命令語処理部７１０から受け取り、コンテンツ管理モジュール７３６が認識し得るデバイスレベル命令語にマッピングさせ、それをコンテンツ管理モジュールインターフェース部７２６を介してコンテンツ管理モジュール７３６へ提供する。
【００９８】
メッセージ生成モジュールマッピング部７２７は、移動端末機へ伝送するメッセージを生成する部分である。すなわち、メッセージ生成モジュールマッピング部７２７は、短文メッセージまたは放送メッセージを生成するためのハイレベル命令語をハイレベル命令語処理部７１０から受け取り、メッセージ生成モジュール７３８が認識し得るデバイスレベル命令語にマッピングさせ、それをメッセージ生成モジュールインターフェース部７２８を介してメッセージ生成モジュール７３８へ提供する。
【００９９】
図８は本発明の第１実施例に係る待機画面占有サービス手続きを示す順序図である。
【０１００】
図８を参照すると、本発明に係るサービスに加入を所望する移動端末機のユーザは、有無線通信網を介してサービス管理サーバーに接続してサービスに加入し（段階８０１)、移動端末機を介して待機画面占有代表型アプリケーションをダウンロードして移動端末機に設置し、サービス環境を設定する（段階８０３）。段階８０１及び段階８０３におけるサービス加入及び設定手続きは、図９を参照して詳細に説明する。
【０１０１】
移動端末機において通話が終了する場合、キー入力部の終了ボタンが入力される場合、または一定の時間キー入力がない場合、移動端末機は待機モードに進入する（段階８０５）。待機モードで、移動端末機は制御部の制御を受けて待機画面占有代表型アプリケーションを駆動する（段階８０７）。待機画面占有代表型アプリケーションは、予め設定された待機画面イメージを表示部に出力し、サービス管理サーバーから受信したメッセージを掲示板の形で表示部に出力する（段階８０９）。段階８０９でメッセージを掲示板の形で表示部に出力する過程は図１１を参照して、イメージを表示部に出力する過程は図１２を参照して詳細に説明する。
【０１０２】
待機モードでエージェントキーが入力されると（段階８１１）、移動端末機は、待機画面占有代表型アプリケーションが活性化されるインタラクティブモードに進入する（段階８１３）。エージェントキーは、待機画面占有代表型アプリケーションを設置すれば自動的に生成され、待機モードでエージェントキー以外のキーの機能は一般待機モードのキーと同様である。段階８１３のインタラクティブモードでの待機画面占有代表型アプリケーションの作動過程については、図１３を参照して詳細に説明する。
【０１０３】
インタラクティブモードでエージェントキーが入力されると、移動端末機は、さらに待機モードに戻って段階８０９を行う。
【０１０４】
図９は本発明の第１実施例に係る待機画面占有サービス加入手続き及びサービス環境設定手続きを示す信号流れ図である。
【０１０５】
図９を参照すると、移動端末機のユーザは、有無線通信網を用いてサービス提供サーバーに接続した後、本発明に係るサービス加入要請信号をサービス提供サーバーへ伝送する（段階９０１）。サービス提供サーバーは、ユーザに対するユーザ認証過程を経た後（段階９０３）、認証に成功すると、移動端末機へ待機画面占有代表型アプリケーションを伝送する（段階９０５）。待機画面占有代表型アプリケーションは、ＯＴＡ−ＳＤ(Over The Air  Software  Download)方式で移動端末機へ伝送できる。また、待機画面占有代表型アプリケーションは、パーソナルコンピュータに伝送された後、パーソナルコンピュータと移動端末機とが連結された状態で移動端末機へアップロードされるか、ユーザのサービス提供サーバーまたは通信事業者への直接訪問によって移動端末機に設置できる。移動端末機は、待機画面占有代表型アプリケーションを用いてサービス環境を設定するためにサービス設定情報をサービス提供サーバーへ伝送する（段階９０７）。サービス設定情報は、待機モードで待機画面へ出力するイメージ及び待機モードで掲示板の形式で出力するメッセージを提供するコンテンツの種類を示す情報を含む。イメージコンテンツは、タマゴッチなどのエンターテインメント型サービス、メッセンジャーなどのコミューニティ型サービス、及びニュース、天気などの情報型サービスを含む。また、掲示板用メッセージコンテンツは、証券、ニュース、天気、不動産などのコンテンツを含む。段階９０９で、サービス提供サーバーは、サービス設定情報に基づいて移動端末機に対してサービス環境を登録、更新することにより、サービス設定を完了する。また、ユーザは、待機画面占有代表型アプリケーションを実行せず、有無線通信を介してサービス提供サーバーに接続した状態でサービス環境を設定することができるのは勿論である。段階９０７及び段階９０９で待機画面占有代表型アプリケーションを実行してサービス環境を設定する過程は、図１６ａ〜図１６ｃで詳細に説明する。
【０１０６】
図１０は本発明の第１実施例に係る待機画面占有サービス手続きを示す信号流れ図である。
【０１０７】
図１０を参照すると、移動端末機は、待機画面占有代表型アプリケーションを実行してサービス設定情報信号をサービス管理サーバーへ伝送する（段階１００１）。サービス設定情報は、待機画面へ出力するイメージ及び待機モードで掲示板の形で出力するメッセージの種類を示す情報を含む。サービス管理サーバーは、サービス設定情報信号に基づいてサービス環境を設定、更新する（段階１００３）。サービス管理サーバーは、サービス環境設定に応じて必要なコンテンツ情報を獲得するために、コンテンツ要求信号をコンテンツ提供サーバーへ伝送する（段階１００５）。コンテンツ提供サーバーは、コンテンツ要求信号に応答してコンテンツをサービス管理サーバーへ伝送する（段階１００７）。ここで、段階１００５は省略してもよく、サービス管理サーバーは、コンテンツ提供サーバーからコンテンツを受信し、移動端末機で設定したコンテンツのみを抽出することも可能である。サービス管理サーバーは、コンテンツをメッセージの形に加工してコンテンツ情報メッセージを移動端末機へ伝送する（段階１００９）。ここで、コンテンツ情報メッセージは、イメージ情報及び掲示板の形で出力するメッセージ情報を含む。
【０１０８】
次いで、移動端末機は、受信したコンテンツ情報メッセージをメモリに格納した後、待機モードに進入すると（段階１０１１）、イメージ及び掲示用メッセージを移動端末機の表示部に出力する（段階１０１３）。その後、移動端末機の少なくとも一つのキー入力があるか、予め定められた方式によるイベントが発生する場合（例えば、移動端末機のフォルダーを３回オープンするイベントが発生）、移動端末機はコンテンツ変更要請信号をサービス管理サーバーへ伝送する（段階１０１５）。サービス管理サーバーは、コンテンツ変更要請信号に相応してコンテンツ変更要請信号をコンテンツ提供サーバーへ伝送する（段階１０１７）。コンテンツ提供サーバーは、コンテンツ変更要請信号に応答してコンテンツ変更情報をサービス管理サーバーへ伝送し（段階１０１９）、サービス管理サーバーは、コンテンツ変更情報を移動端末機へ伝送する（段階１０２１）。段階１０１５〜段階１０２１で、移動端末機は、コンテンツ変更要請信号を直接コンテツ提供サーバーへ伝送し、コンテンツ変更要請信号に応答してコンテンツ提供サーバーからコンテンツ変更情報を受信することができる。移動端末機は、受信したコンテンツ変更情報に基づいて待機画面イメージを変更し、或いは掲示用メッセージを変更して出力する（段階１０２３）。
【０１０９】
図１１は本発明の第１実施例に係る掲示用メッセージを移動端末機  
【０１１０】
の表示部に出力する手続きを示す順序図である。
【０１１１】
図１１を参照すると、移動端末機は、通話が終了する場合、キー入力部の終了ボタンが入力される場合、または一定の時間キー入力がない場合、待機モードに進入する（段階１１０１）。待機モードで、移動端末機は、制御部の制御を受けて待機画面占有代表型アプリケーションを駆動し、メモリに格納された掲示用メッセージを抽出する（段階１１０３）。ここで、掲示用メッセージはメッセージヘッダー、メッセージ掲示内容及びメッセージ細部内容を含む。移動端末機は、表示部の一定の部分である掲示板領域にメッセージ掲示内容をスライド形式で表示する（段階１１０５）。その後、移動端末機のキー入力部からエージェントキーが入力されて待機画面占有代表型アプリケーションが活性化され、少なくとも一つのキーが入力されて細胞内容表示イベントが発生すると（段階１１０７）、移動端末機はメッセージ細部内容を表示部に出力する(段階１１０９)。
【０１１２】
図１２は本発明の第１実施例に係る待機画面イメージを表示部に出力し、変更するための手続きを示す順序図である。
【０１１３】
図１２を参照すると、移動端末機は、通話が終了する場合、キー入力部の終了ボタンが入力される場合、または一定の時間キー入力がない場合、待機モードに進入する（段階１１０１）。待機モードで、移動端末機は、待機画面占有代表型アプリケーションを駆動し、待機画面イメージが設定されているか否かを判断する（段階１２０３）。待機画面イメージが設定されていなければ、段階１２０５が行われ、待機画面イメージが設定されていると、段階１２０７が行われる。段階１２０５で、移動端末機は、基本待機画面として設定された画面を表示部に出力する。
【０１１４】
段階１２０７で、移動端末機は、予め設定されたイメージを表示部に出力する。ここで、イメージは、本発明に係るサービス管理サーバーまたはコンテンツ提供サーバーから受信し、待機画面占有代表型アプリケーションのイメージとして設定されて格納されたものである。段階１２０９及び段階１２１１で、端末機のフォルダーがオープンされるか、少なくとも一つのキーが入力されるか、アラームまたはタイマーなどの内部イベントが発生すると、移動端末機は、内部シナリオによってイメージを自動的に変更して出力する。また、内部イベントに従って、移動端末機は、サービス管理サーバーへイメージ変更要請信号を伝送し、これに応答してイメージ変更メッセージを受信すると、イメージを変更して出力する。
【０１１５】
図１３は本発明の第１実施例に係るインタラクティブモードでの待機画面占有代表型アプリケーション実行手続きを示す順序図である。
【０１１６】
図１３を参照すると、移動端末機に待機画面占有代表型アプリケーションが設置されると、移動端末機は待機モードでエージェントキーを生成し、エージェントキーが入力されると（段階１３０１）、移動端末機は待機画面占有代表型アプリケーションを活性化してインタラクティブモードで動作する（段階１３０３）。インタラクティブモードでは、移動端末機のユーザは、所望のメッセージを選択して詳細な情報を見ることができ、当該コンテンツアプリケーションを直接駆動し、或いは当該コンテンツを提供するサーバーに自動的に接続することができる。
【０１１７】
インタラクティブモードで少なくとも一つのキーを入力してイメージ領域または掲示板領域を活性化する(段階１３０５)。イメージ領域または掲示板領域が活性化されて確認ボタンが入力されると（段階１３０７）、移動端末機は。当該コンテンツアプリケーションを駆動する（段階１３０９）。コンテンツアプリケーション駆動の例としてイメージが選択されると、イメージを提供するコンテンツ提供サーバーに自動的に接続でき、掲示板領域に掲示されているメッセージが選択されると、詳細情報を表示し、もう１回確認ボタンが入力されると、当該コンテンツを提供するサーバーに自動的に接続できる。当該コンテンツアプリケーションを終了し（段階１３１１）、インタラクティブモードでエージェントキーまたは終了ボタンが入力されると、移動端末機はさらに待機モードに戻る（段階１３１３）。
【０１１８】
図１４は本発明の第１実施例に係るメッセージの構造を示す図である。
【０１１９】
図１４を参照すると、移動端末機がサービス管理サーバーから受信するメッセージは、メッセージヘッダー１４０１、メッセージ掲示内容１４０３、及びメッセージ細部内容１４０５を含む。メッセージヘッダー１４０１は、本発明に係るサービスに関連した様々な情報を含む。この様々な情報の例としては、Ｔｅｌｅｓｖｃ−ｉｄ、格納時間、コンテンツ種類、コールバック用ＵＲＬアドレスなどを挙げることができる。移動端末機は、メッセージを受信すると、Ｔｅｌｅｓｖｃ−ｉｄが存在するか否かを判断し、Ｔｅｌｅｓｖｃ−ｉｄがあれば本発明に係るメッセージと判断し、Ｔｅｌｅｓｖｃ−ｉｄがなければ一般メッセージと判断する。ここで、メッセージヘッダー１４０１に含まれたコンテンツの種類が高い重要度に分類される場合には、移動端末機は、メッセージ詳細内容１４０５を直ちに表示部に出力する。メッセージがイメージ変更メッセージの場合には、自動的にイメージを変更することができ、当該アプリケーションを自動的に実行することができる。
【０１２０】
本発明に係るメッセージを受信した移動端末機は、メッセージ受信を表示部に出力せず、メッセージをメモリに格納した後、待機モードでメッセージ掲示内容１４０３を表示部の掲示板領域に出力する。メッセージ掲示内容１４０３が出力されている状態で詳細表示イベントが発生すると、移動端末機は、メッセージ細部内容１４０５を表示部に出力し、或いはコールバック用ＵＲＬアドレスに基づいてコンテンツ提供サーバーまたはサービス管理サーバーに接続して詳細な内容を表示部に出力することができる。一方、移動端末機は、格納時間に表示された時間だけメモリに格納した後、格納時間が経つと、自動的にメッセージを削除する。
【０１２１】
図１５は本発明の第１実施例に係る移動端末機で受信メッセージを処理する手続きを示す順序図である。
【０１２２】
図１５を参照すると、まず、移動端末機は、メッセージを受信すると（段階１５０１）、受信したメッセージが本発明に係る待機画面占有代表型アプリケーションのためのメッセージであるか否かを判断する（段階１５０３）。判断の結果、待機画面占有代表型アプリケーションのためのメッセージであれば、段階１５０７が行われ、一般メッセージであれば、段階１５０５が行われる。段階１５０５において、移動端末機は、メッセージ受信をアラームまたは表示部への出力によってユーザに知らせ、一般メッセージ受信処理手続きに従う。段階１５０７で、移動端末機は、メッセージを待機画面占有代表型アプリケーションのメモリに格納する。移動端末機は、待機モードで待機画面占有代表型アプリケーションを駆動し（段階１５０９）、メッセージが掲示用メッセージなのか、イメージ変更のためのメッセージなのかを判断する（段階１５１１）。判断の結果、メッセージが掲示用メッセージであれば、段階１５１７が行われ、メッセージがイメージ変更メッセージであれば、段階１５１３が行われる。段階１５１３で、移動端末機は、イメージ変更メッセージに基づいて設定されたイメージを変更し（段階１５１３）、変更されたイメージを表示部に出力する（段階１５１５）。
【０１２３】
段階１５１７で、移動端末機は、掲示用メッセージのメッセージ掲示内容を表示部の掲示板領域に出力する。ここで、掲示用メッセージが複数の場合、メッセージ掲示内容をスライド方式によって出力する。移動端末機の少なくとも一つのキー入力による細部内容表示イベントが発生すると（段階１５１９）、移動端末機は、掲示板領域に出力されているメッセージに対する細部内容を表示部に出力する（段階１５２１）。
【０１２４】
図１６〜図１８は本発明の第１実施例に係る待機画面占有代表型アプリケーションを設定する手続きを示す移動端末機の画面例示図である。
【０１２５】
図１６〜図１８を参照すると、移動端末機は、サービス管理サーバーから待機画面占有代表型アプリケーションをダウンロードして設置し、待機画面占有代表型アプリケーションを実行すると、エージェントサービス設定画面１６０１を表示部に出力する。エージェントサービス設定画面１６０１は、イメージ設定項目及び掲示板（チッカー）設定項目を含む。イメージ設定項目は、待機画面へ出力するイメージを設定するための項目であり、掲示板設定項目は、掲示板領域に出力するメッセージの種類を設定するための項目である。移動端末機のユーザがエージェントサービス設定画面１６０１からイメージ設定項目を選択して確認ボタンを入力すると、移動端末機はイメージ設定画面１６０３を表示部に出力する。イメージ設定画面１６０３は、イメージビュアー、エンターテインメント、コミュニケーション、情報項目を含むことができる。ここで、イメージビュアーは、ユーザによって設定されたイメージを見るためのものであり、エンターテインメントは、タマゴッチなどのゲーム型サービスであり、コミュニケーションは、例えばメッセンジャー、メール、チャットなどの対話型サービスであり、情報項目は、証券、ショッピングリストなどの情報サービスを意味する。
【０１２６】
エージェントサービス設定画面１６０１から掲示板設定項目が選択されて確認ボタンが入力されると、移動端末機は、掲示板設定画面１６０５を表示部に出力する。移動端末機のユーザは、掲示板設定画面１６０５で、待機モードで掲示板領域に出力するメッセージの種類を設定することができる。
【０１２７】
次に、図１９〜図２１を参照して本発明に係るサービスの例を説明する。
【０１２８】
図１９は本発明の第１実施例に係る待機画面占有代表型アプリケーションが設置される前の移動端末機の待機モードでの表示部及びキー入力部を示す図である。
【０１２９】
図１９を参照すると、待機画面占有代表型アプリケーションが設置されていない移動端末機は、待機モードで基本待機画面制御プログラムの制御を受け、ユーザによって設定された待機画面１７０１を表示部に出力する。また、待機モードで、キー入力部１７０３のそれぞれのキーは既存の待機モードで持つそれぞれの機能をそのまま持つ。
【０１３０】
図２０は本発明の第１実施例に係る待機画面占有代表型アプリケーションが設置された移動端末機の待機モードでの表示部及びキー入力部を示す図である。
【０１３１】
図２０を参照すると、移動端末機は、待機画面占有代表型アプリケーションをダウンロードして設置すると、待機モードでイメージ領域１７０５、掲示板領域１７０７及びエージェントキー領域１７０９を区分して表示部に出力する。エージェントキー領域１７０９は、待機画面占有代表型アプリケーションを設置しながら生成されたものである。イメージ領域１７０５には待機画面イメージとして設定されたイメージが出力され、掲示板領域１７０７には受信してメモリに格納された掲示用メッセージがスライド形式で出力される。待機モードでの移動端末機のキー入力部１７１１において、確認ボタンは待機画面占有代表型アプリケーションを活性化させるエージェントキーを入力するためのものであり、確認ボタン以外の残りのボタンは既存の待機画面で持つ機能をそのまま持っている。
【０１３２】
図２１は本発明の第１実施例に係るインタラクティブモードでの移動端末機の表示部及びキー入力部を示す図である。
【０１３３】
図２１を参照すると、移動端末機は、待機モードでエージェントキーが入力されると、待機画面占有代表型アプリケーションが活性化されるインタラクティブモードでイメージ領域及び掲示板領域を含むエージェントサービス画面１７１３を表示部に出力する。エージェントサービス画面１７１３は、イメージ領域または掲示板領域のいずれか一つが活性化されている。また、イメージ領域または掲示板領域の活性化された領域を変えるためには、少なくとも一つのキー（例えばメニューボタン）を入力する。インタラクティブモードでのキー入力部１７１５のボタンは待機画面占有代表型アプリケーションを実行するために定義されたそれぞれの機能を行う。一方、キー入力部１７１５の確認ボタンはエージェントキーを入力するためのものである。このエージェントキーが入力されると、移動端末機は待機モードに戻る。
【実施例２】
【０１３４】
図２２は本発明の第２実施例に係る待機モード用コンテンツを提供するための装置の構成を概略的に示す図である。
【０１３５】
図２２を参照すると、待機モード用コンテンツ提供装置は、移動端末機２２０１、移動通信網２２０３、サービス管理サーバー２２０５、データベース２２０７及びコンテンツ提供サーバー２２０９を含む。
【０１３６】
移動端末機２２０１は、端末機プラットフォームが搭載されて本発明に係る待機画面占有代表型コンテンツを設置することができ、メッセージのやり取りを行うことが可能な機能を含む。移動端末機２２０１は、移動通信網２２０３を介してサービス管理サーバー２２０５と結合して通信を行い、サービス管理サーバー２２０５からコンテンツを受信してコンテンツを待機モードで出力する機能を含む。移動端末機２２０１は、携帯電話、ＰＤＡホーン、スマートホーン、ノートブック、タブレットＰＣなどを含む。
【０１３７】
サービス管理サーバー２２０５は、移動端末機２２０１へ本発明に係る待機画面占有代表型コンテンツを提供する。また、サービス管理サーバー２２０５は、移動端末機２２０１で設定したコンテンツを提供するコンテンツ提供サーバー２２０９からコンテンツを受け取り、待機画面イメージに加工して移動通信網２２０３を介して移動端末機２２０１へ伝送する機能を行う。
【０１３８】
データベース２２０７は、移動端末機２２０１に対するサービス情報及びコンテンツ提供サーバー２２０９から提供されるコンテンツ情報をデータベース化して持っている。このデータベース２２０７は、サービス管理サーバー２２０５に含まれて構成されてもよい。
【０１３９】
コンテンツ提供サーバー２２０９は、既存の移動端末機の多様なコンテンツを提供する機能をそのまま含み、本発明によってコンテンツ情報をサービス管理サーバー２２０５へ提供する機能をさらに含む。また、コンテンツ提供サーバー２２０９は、サービス管理サーバー２２０５と連動してアップデートされたコンテンツ情報をサービス管理サーバー２２０５へ提供する。
【０１４０】
次に、構成を参照して、本発明に係るサービスを提供する方法を概略的に説明する。まず、移動端末機２２０１のユーザは、有無線通信網を介してサービス管理サーバー２２０５に接続して本発明に係るサービスに加入した後、待機画面占有代表型コンテンツをダウンロードして移動端末機２２０１に設置する。移動端末機２２０１は、待機画面占有代表型コンテンツを実行して所望のコンテンツを設定することができる。また、待機モードで表示部に出力するイメージをサービス管理サーバー２２０５またはコンテンツ提供サーバー２２０９から受信することができる。その後、移動端末機２２０１は、端末機のユーザによって選択されたコンテンツを提供するコンテンツ提供サーバー２２０９からコンテンツ情報を受信し、サービス管理サーバー２２０５で本発明に係る指定アプリケーション情報に加工して移動端末機２２０１へ伝送する。移動端末機２２０１は、受信した指定アプリケーションをメモリに格納した後、指定アプリケーション情報を出力し、格納されたメッセージをリストの形で待機画面に出力する。その後、移動端末機２２０１は、指定アプリケーション情報から所望のコンテンツを選択して自動的に駆動することができる。
【０１４１】
図２３は本発明の第２実施例に係る待機モード用コンテンツを提供するための移動端末機の構成を示す図である。
【０１４２】
図２３を参照すると、本発明が適用された移動端末機は、制御部（ＣＰＵ）２３０１、制御部２３０１の制御を受け、移動端末機の各種機能及び動作の入力を担当するキー入力部２３０３、表示部２３０５、メモリ２３０７、音声処理部２３０９及び送受信部２３１１を含む。
【０１４３】
制御部２３０１は、送受信部２３１１で処理された信号を受け、移動端末機の全般的な動作を制御する。また、ユーザが設定した環境に応じて、サービス管理サーバーから受信したコンテンツを表示部２３０５、及び音声処理部２３０９に連結されたスピーカーを介して再生し得るように制御する。そして、制御部２３０１は、備えられる各種構成の制御を行う。
【０１４４】
表示部２３０５は、例えば液晶表示装置ＬＣＤなどの表示装置であって、制御部２３０１の制御を受け、移動端末機の状態またはプログラムの進行状況を表示する。すなわち、表示部２３０５は、移動端末機の全般的な状態及び入力されるユーザ情報などを表示する。また、表示部２３０５は、ユーザ設定環境に応じて、サービス管理サーバーから受信したコンテンツメッセージ、或いは指定アプリケーション情報を待機画面に出力する機能をさらに含む。
【０１４５】
メモリ２３０７には、制御部２３０１の動作プログラム、システムプログラムが格納される。動作プログラムまたはシステムプログラムは、通常、含まれたＲＯＭ領域に格納され、必要に応じては消去が可能である。電気的に消去可能なＲＯＭとしては、ＥＥＰＲＯＭやフラッシュメモリなどがある。そして、メモリ２３０７は、また、いろいろの動作プログラムの遂行中に発生するデータを一時記憶するＲＡＭを含む。動作プログラムは、待機画面占有代表型アプリケーションと指定アプリケーション情報を含む。また、メモリ２３０７は、サービス管理サーバーから受信したメッセージを格納する機能を含む。
【０１４６】
音声処理部２３０９は、マイクロホーンから入力された音声信号を変調して音声データに変換し、送受信部２３１１から入力された音声データ及びメモリ２３０７に格納された音声データを音声信号に復調してスピーカーを介して音声として出力する機能を行う。
送受信部２３１１は、制御部２３０１の制御を受け、制御部２３０１から出力される信号を無線信号に変換し、アンテナを介して受信される無線信号を所望の信号に変換して出力する機能を行う。
【０１４７】
次に、構成を持つ移動端末機においてユーザの選択に従って指定アプリケーションを再生し、コンテンツを自動的に駆動する方法を説明する。移動端末機のユーザは、サービス管理サーバーから提供する指定アプリケーション情報を送受信部２３１１を介して受け取り、メモリ２３０７内に格納して再生する。ユーザは、キー入力部２３０３の少なくとも一つのコンテンツを選択することにより、指定アプリケーション情報を実行させることができる。その後、指定アプリケーション情報からさらに所望のコンテンツを選択すると、移動端末機は、サービス管理サーバーからコンテンツを受信し、制御部２３０１の制御を受け、受信したコンテンツを表示部２３０５及びスピーカーを介して自動的に駆動することができる。
【０１４８】
図２４は本発明の第２実施例に係る指定アプリケーション情報を提供するための応用プログラムが設置される端末機の端末機プラットフォームの構造を示す図である。
【０１４９】
図２４を参照すると、端末機プラットフォームは、移動通信端末機ハードウェア２４０１、端末機基本ソフトウェア２４０３、ＨＡＬ(Handset Application Layer)２４０５、ランタイムエンジン２４０７、基本ＡＰＩ２４０９、ＡＰＩ管理者２４１１、応用プログラム管理者２４１３、拡張ＡＰＩ２４１５及び応用プログラム２４１７を含む。端末機プラットフォームは、ＧＶＭ、ＳＫ−ＶＭ、ＫＶＭ、ＭＡＰ、ＢＲＥＷ及びＷＩＰＩを含んで既存の端末機プラットフォームの機能をそのまま含む。また、端末機プラットフォームは、ユーザによって選択されたコンテンツが、本発明に係る指定アプリケーション情報を用いて、待機画面を占有し或いは自動的に駆動されるように、待機画面占有状態をサービス管理サーバーへ伝送する役割をさらに行う。
【０１５０】
移動端末機ハードウェア２４０１は、例えば携帯電話、ＰＤＡ、ＰＤＡホーン、スマートホーンなどの携帯可能な全ての移動通信端末または携帯端末を含むことができる。端末機基本ソフトウェア２４０３は、端末機の基本動作のためのソフトウェア、ＬＣＤドライバー、ＫＰＤドライバー及びシリアルドライバーを含む。ＨＡＬ２４０５は、プラットフォームのハードウェア独立性を維持するための抽象化階層であって、上位階層がＨＡＬ２４０５上で移動通信端末機ハードウェア２４０１と端末機基本ソフトウェア２４０３に関係なく動作することが可能な独立性を支援する。
【０１５１】
基本ＡＰＩ２４０９は、応用プログラム開発者が使用するプラットフォームで支援する基本ＡＰＩコレクションである。基本ＡＰＩ２４０９は、Ｃ ＡＰＩ及びＪａｖａ ＡＰＩを含んでいるため、プログラム開発者の便宜を提供することができる。ＡＰＩ管理者２４１１は、プラットフォームの基本ＡＰＩ２４０９と拡張ＡＰＩ２４１５を更新、追加する機能を行う。また、ＡＰＩ管理者２４１１は、応用プログラム管理者２４１３もダウンロードすることが可能な機能を提供する。応用プログラム管理者２４１３は、例えば応用プログラム２４１７の情報表示、ダウンロード、インストール、実行、削除、保安管理などの全般的な管理機能を行う。拡張ＡＰＩ２４１５は、モバイルプラットフォームの標準化が可能な候補であるＡＰＩのコレクションであって、多様なサービス提供のためのＡＰＩコレクションを提供する。  
【０１５２】
応用プログラム２４１７は、端末機プラットフォームが搭載された端末機に設置され、端末機の環境または端末機の基本ソフトウェアとは関係なく動作できるコンテンツをいう。応用プログラムは、指定アプリケーション情報を含む。
【０１５３】
次に、構成を参照して、本発明に係るサービスを提供する方法について説明する。まず、移動通信端末機には、の構成を持つ端末機プラットフォームが搭載されている。移動通信端末機のユーザは、所望のコンテンツを選択することにより、応用プログラム管理者２４１３を用いて指定アプリケーション情報を移動通信事業者またはサービス管理サーバーから受信する。指定アプリケーション情報は、Ｃ言語またはＪａｖａ言語で実現可能である。ユーザは、指定アプリケーション情報から所望のコンテンツを選択してコンテンツを実行する。その後、ユーザによって選択されたコンテンツに応じてサービス管理サーバーからコンテンツを受信する場合、移動端末機は、受信したコンテンツを自動的に駆動する。
【０１５４】
図２５は本発明の第２実施例に係るサービス管理サーバーを示す構成図である。
【０１５５】
図２５を参照すると、サービス管理サーバーは、メモリシステム２５２０、ここに結合して高速動作を行う少なくとも一つの中央処理装置(Central Processing Unit：ＣＰＵ)２５１０、入力装置２５３０及び通信装置２５４０を含むことができる。
【０１５６】
中央処理装置２５１０は、計算を行うためのＡＬＵ(Arithmetic Logic Unit)２５１２、データ及び命令語の一時的な記憶のためのレジスタ２５１４、及びサービス管理サーバーの動作を制御するためのコントローラー２５１６を含む。中央処理装置２５１０は、デジタル社のアルファ、ＭＩＰＳテクノロジー、ＮＥＣ、ＩＤＴ及びＳｉｅｍｅｎｓ社などのＭＩＰＳ、Ｉｎｔｅｌ、Ｃｙｒｉｘ、ＡＭＤ及びＮｅｘｇｅｎ社のｘ８６、並びにＩＢＭ、Ｍｏｔｏｒｏｌａ社のパワーＰＣなどの様々なアーキテクチャーを持つプロセッサであってもよい。
【０１５７】
メモリシステム２５２０は、一般に、例えばＲＡＭ(Random Access Memory)とＲＯＭ(Read Only Memory)などの記憶媒体タイプの高速メインメモリ２５２２、例えばフロッピーディスク（登録商標）、ハードディスク、テープ、ＣＤ−ＲＯＭ、フラッシュメモリなどの長期記憶媒体タイプの補助メモリ２５２４、及び電気、磁気、光学またはその他の記憶媒体を用いてデータを格納する装置を含む。また、メインメモリ２５２２は、ディスプレイ装置を介してイメージを表示するビデオディスプレイメモリを含むことができる。
【０１５８】
また、入力装置２５３０は、キーボードやマウスなどを含む。マウスは、例えばタッチスクリーンまたはマイクロホーンなどの物理的変換器(physical transducer)などを含むことができる。通信装置２５４０は、コンテンツ提供サーバー及び移動端末機等との通信を行うための通信インターフェースを含む。
【０１５９】
図２６は本発明の第２実施例に係るサービス管理サーバーのモジュール構成図である。
【０１６０】
図２６を参照すると、サービス管理サーバーは、コンテンツ提供サーバー及び移動端末機等との有無線通信を処理するための送受信処理モジュール２６３２と、本発明に係るサービスに加入された移動端末機を管理するユーザ端末管理モジュール２６３４と、移動端末機で設定したコンテンツを提供するために当該コンテンツ提供サーバーからコンテンツ情報を受信して移動端末機へ伝送する機能を行うコンテンツ管理モジュール２６３６とを含むことができる。このような応用モジュールを介して本発明の好適な一実施例に係るサービス管理サーバーの全体的構成を考察すると、次の通りである。
【０１６１】
サービス管理サーバーは、多様なＯＳ(Operating System)をシステムのＯＳとして使用することができる。このようなＯＳは、ＡＰＩ(Application Program Interface)２６００にハイレベル命令語を提供して各応用モジュール２６３０の動作を制御する。
【０１６２】
サービス管理サーバーは、ＡＰＩ２６００から提供されるハイレベル命令語に基づいて対応する各応用モジュール２６３０を識別し、ハイレベル命令語をデコードして該当箇所に提供するハイレベル命令語処理部２６１０を含む。応用モジュール制御部２６２０は、ハイレベル命令語処理部２６１０から提供された命令語に基づいて応用モジュール２６３０の動作を制御する。すなわち、ハイレベル命令語処理部２６１０は、ＡＰＩ２６００を介して提供されたハイレベル命令語に基づき、ここに対応する応用モジュール２６３０が存在するかを識別し、対応する応用モジュール２６３０が存在する場合、該当する応用モジュール２６３０で認識し得る命令語にデコードして当該マッピング部へ伝送する。ここで、応用モジュール２６３０は、送受信処理モジュール２６３２、ユーザ端末管理モジュール２６３４、及びコンテンツ管理モジュール２６３６を含む。応用モジュール制御部２６２０は、各応用モジュールに対するマッピング部２６２１、２６２３、２６２５とインターフェース部２６２２、２６２４、２６２６をそれぞれ含む。
【０１６３】
送受信処理モジュールマッピング部２６２１は、ハイレベル命令語処理部２６１０からコンテンツ提供サーバーまたは移動端末機等との有無線通信を行うためのハイレベル命令語を受信し、送受信処理モジュール２６３２で処理することが可能なデバイスレベル命令語にマッピングさせ、それを送受信処理モジュールインターフェース部２６２２を介して送受信処理モジュール２６３２へ提供する。また、送受信処理モジュール２６３２は、必要に応じて、コンテンツ提供サーバーとのデータ送受信のための物理的伝送インターフェースを含むことができる。このような場合、物理的伝送インターフェースは、ＳＳ７音声網連動インターフェースまたはＴＣＰ／ＩＰ網連動インターフェースなどの通信インターフェースを含む。
【０１６４】
ユーザ端末管理モジュール２６３４は、サービスに加入された移動端末機を管理し、各移動端末機によるサービス設定内容を格納する部分である。すなわち、ユーザ端末管理モジュールマッピング部２６２３は、ハイレベル命令語処理部２６１０から移動端末機を管理するためのハイレベル命令語を受信し、ユーザ端末管理モジュール２６３４が認識し得るデバイスレベル命令語にマッピングさせ、それをユーザ端末管理モジュールインターフェース部２６２４を介してユーザ端末管理モジュール２６３４へ提供する。
【０１６５】
コンテンツ管理モジュール２６３６は、移動端末機へ適切な指定アプリケーション情報を提供するために、コンテンツ提供サーバーから受信したコンテンツ情報を管理し、コンテンツ別にサービスチャネルを付与及び管理する部分である。すなわち、コンテンツ管理モジュールマッピング部２６２５は、コンテンツ提供サーバーから受信したコンテンツ情報を管理するためのハイレベル命令語をハイレベル命令語処理部２６１０から受け取り、コンテンツ管理モジュール２６３６が認識し得るデバイスレベル命令語にマッピングさせ、それをコンテンツ管理モジュールインターフェース部２６２６を介してコンテンツ管理モジュール２６３６へ提供する。
【０１６６】
図２７は本発明の第２実施例に係る指定アプリケーション自動構成サービス手続きを概略的に示す順序図である。ここで、指定アプリケーション自動構成サービスとは、移動端末機の待機モードでサービス管理サーバーから受信した指定アプリケーション情報を表示部に出力するサービスをいう。
【０１６７】
図２７を参照すると、待機画面占有サービスへの加入を所望する移動端末機のユーザは、有無線通信網を介してサービス管理サーバーに接続してサービスに加入し（段階２７０１）、移動端末機を介して待機画面占有代表型アプリケーションをダウンロードして移動端末機に設置し、サービス環境を設定する（段階２７０３）。その後、移動端末機は、段階２７０３で設定された環境に応じてサービス管理サーバーから既にダウンロードしたアプリケーションリストを受信する（段階２７０５）。ユーザによって指定されたアプリケーションを移動端末機で実行する場合（段階２７０７）、移動端末機は当該コンテンツ情報を待機画面に表示する（段階２７０９）。移動端末機は、指定されたアプリケーション終了の後、待機モードに進入する（段階２７１１）。段階２７０３及び段階２７１３で指定アプリケーションを自動的に駆動する過程は、図２８を参照して詳細に説明する。また、アップデートされたコンテンツ情報の指定アプリケーションをサービス管理サーバーから受信する手続きは、図２９を参照して詳細に説明する。
【０１６８】
図２８は本発明の第２実施例に係る指定アプリケーション情報提供手続きを示す信号流れ図である。
【０１６９】
図２８を参照すると、移動端末機のユーザは、待機画面占有代表型アプリケーションをサービス管理サーバーから要請して移動端末機にダウンロードする（段階２８０１）。この際、サービス管理サーバーは、移動端末機にダウンロードされたアプリケーションリストを伝送する（段階２８０３）。その後、端末機ユーザは、アプリケーションリストの中からユーザによって指定されたアプリケーション情報をサービス管理サーバーに要請する（段階２８０５）。アプリケーションリストは、コンテンツの種類を示す情報を含む。コンテンツは、タマゴッチなどのエンターテインメント型サービス、メッセンジャーなどのコミューニティ型サービス、及びニュース、天気、不動産、証券などのコンテンツを含む。段階２８０７で、サービス管理サーバーは、要請された指定アプリケーション応答パケットを設定することにより、指定アプリケーション情報をショートカット機能活用型のリストの形で移動端末機に提供する（段階２８０９）。
【０１７０】
図２９は本発明の第２実施例に係るアップデートされたコンテンツをショートカット機能活用の指定アプリケーション情報として移動端末機へ提供する手続きを示す信号流れ図である。
【０１７１】
図２９を参照すると、サービス管理サーバーは、移動端末機に提供するコンテンツをアップデートするために、一定の周期でコンテンツ提供サーバーへコンテンツ情報要請信号を伝送する（段階２９０１）。コンテンツ提供サーバーは、受信したコンテンツ情報要請信号に相応するコンテンツ情報をサービス管理サーバーへ伝送する（段階２９０３）。この際、本発明に係る他の実施例には、コンテンツ提供サーバーからアップデートされたコンテンツが発生した場合も含む。サービス管理サーバーは、コンテンツ提供サーバーから受信したコンテンツ情報に基づいてコンテンツをアップデートし（段階２９０５）、コンテンツ別にサービスチャネルを付与及び管理する（段階２９０７）。その後、移動端末機からコンテンツ情報要請信号を受信する場合（段階２９０９）、サービス管理サーバーは、これに相応するコンテンツ情報を端末機プラットフォームに伝送する（段階２９１１）。この際、端末機プラットフォームは、情報要請に対する指定アプリケーション応答パケットを構成する（段階２９１３）。その後、ユーザによって要請されたコンテンツは、端末機プラットフォームでショートカット機能活用型のリストに加工され、指定アプリケーション情報として移動端末機に伝送される（段階２９１５）。
【０１７２】
図３０は本発明の第２実施例に係る移動端末機で指定アプリケーションを自動的に駆動して待機画面を占有する過程を示す順序図である。
【０１７３】
図３０を参照すると、通話が終了する場合、キー入力部の終了ボタンが入力される場合、または一定の時間キー入力がない場合、移動端末機は待機モードに進入する（段階３００１）。待機モードで、移動端末機は、制御部の制御を受け、待機画面占有代表型アプリケーションを駆動する（段階３００３）。
【０１７４】
待機画面占有代表型コンテンツ駆動状態でエージェントキーが入力されると（段階３００５）、移動端末機は、既にダウンロードしたアプリケーションリストを表示部に出力する（段階３００７）。アプリケーションリストでは、端末機のユーザが所望のアプリケーションを選択して詳細な情報を見ることができ（段階３００９）る。この際、端末機プラットフォームは、情報要請に対する指定アプリケーション応答パケットを構成し（段階３０１１）、当該コンテンツを出力し或いは当該コンテンツを提供するサーバーに自動的に接続することができる（段階３０１３）。
【０１７５】
指定アプリケーションに対する駆動が終了すると（段階３０１５）、移動端末機は、指定アプリケーション応答パケットが構成された待機モードに進入する（段階３０１７）。その後、移動端末機で終了した指定アプリケーションは、ショートカット機能活用型のリストに加工され、指定アプリケーション情報が自動的に駆動され且つ待機画面を占有する（段階３０１９）。
【０１７６】
次に、図３１〜図３６を参照して、本発明に係るサービスの例を説明する。
【０１７７】
図３１は本発明の第２実施例に係る待機画面占有代表型アプリケーションが設置される前の移動端末機の待機モードでの表示部及びキー入力部を示す図である。
【０１７８】
図３１を参照すると、待機画面占有アプリケーションが設置されていない移動端末機は、待機モードで基本待機画面制御プログラムの制御を受け、ユーザによって設定された待機画面３１０１を表示部に出力する。また、待機モードで、キー入力部３１０３のそれぞれのキーは既存の待機モードで持つそれぞれの機能をそのまま持つ。
【０１７９】
図３２は本発明の第２実施例に係る待機画面占有アプリケーションコンテンツが設置された移動端末機の待機モードでの表示部及びキー入力部を示す図である。
【０１８０】
図３２を参照すると、移動端末機は、待機画面代表型アプリケーションをダウンロードして設置すると、待機モードでイメージ領域３２０１、掲示板領域３２０３及びエージェントキー領域３２０５を区分して表示部に出力する。エージェントキー領域３２０５は、待機画面占有代表型アプリケーションを設置しながら生成される。イメージ領域３２０１には待機画面イメージとして設定されたイメージが出力され、掲示板領域３２０３には受信してメモリに格納された掲示用メッセージがスライド形式で出力される。待機モードでの移動端末機のキー入力部３２０７において、エージェントボタン３２０９は既にダウンロードしたアプリケーションリストを活性化させるエージェントキーを入力するためのものであり、エージェントボタン３２０９を除いた残りのボタンは既存の待機画面で持つ機能をそのまま持っている。
【０１８１】
図３３は本発明の第２実施例に係るダウンロードしたアプリケーションリスト出力モードでの移動端末機の表示部及びキー入力部を示す図である。
【０１８２】
図３３を参照すると、移動端末機は、エージェントキーが入力されると、既にダウンロードしたアプリケーションリストが活性化され、アプリケーションリスト領域及び掲示板領域を含む画面３３０１を表示部に出力する。端末機ユーザは、所望のアプリケーションを実行するために、アプリケーションリスト画面３３０１から一つのアプリケーション項目を指定する。ダウンロードしたアプリケーションリスト出力モードで、キー入力部３３０３のボタンは、端末機ユーザによって指定されたアプリケーションを駆動するために定義されたそれぞれの機能を行う。
【０１８３】
図３４は本発明の第２実施例に係る当該コンテンツディスプレイモードでの移動端末機の表示部及びキー入力部を示す図である。
【０１８４】
図３４を参照すると、移動端末機は、ユーザが所望するアプリケーションを指定すると、当該コンテンツが活性化され、所望のコンテンツ情報を含む画面３４０１を表示部に出力する。アプリケーション駆動モードで指定アプリケーションを終了するために、移動端末機のフォルダーを閉じる場合、キー入力部の終了ボタンが入力される場合、または一定の時間キー入力がない場合、移動端末機は指定アプリケーション応答パケットが構成された待機モードに進入する。当該コンテンツディスプレイモードで、キー入力部３４０３のボタンは、当該コンテンツ情報を表示するために定義されたそれぞれの機能を行う。
【０１８５】
図３５は本発明の第２実施例に係る指定アプリケーション応答パケットが構成された待機モード進入状態での移動端末機の表示部及びキー入力部を示す図である。
【０１８６】
図３５を参照すると、移動端末機は、指定アプリケーションが終了すると、待機モードが活性化され、指定アプリケーション応答パケットが構成されたアプリケーション駆動画面３５０１を待機モードに出力する。指定アプリケーション応答パケットが構成された待機モードで、キー入力部３５０３のボタンは、指定アプリケーションを自動的に駆動させるために定義されたそれぞれの機能を行う。
【０１８７】
図３６は本発明の第２実施例に係る指定アプリケーション自動駆動状態での移動端末機の表示部及びキー入力部を示す図である。
【０１８８】
図３６を参照すると、移動端末機は、終了した指定アプリケーションをショートカット機能活用型のリストに加工して指定アプリケーション情報を移動端末機の待機モードで自動的に駆動する（３６０１）。指定アプリケーション自動駆動状態で、キー入力部３６０３のボタンはコンテンツを駆動させるために定義されたそれぞれの機能を行う。
【０１８９】
図３７は本発明の第２実施例に係るコンテンツデータベースを示す図である。
【０１９０】
図３７を参照すると、コンテンツデータベースは、サービス管理サーバーから移動端末機へ提供するコンテンツ情報を格納したものであって、コンテンツデータベースは、コンテンツサーバー３７０１別にコンテンツ情報３７０３及び最終アップデート時間３７０５を含む。この際、コンテンツサーバー３７０１は、コンテンツ提供サーバーを意味し、或いはコンテンツ提供サーバーから２つ以上のコンテンツを提供する場合には各コンテンツを意味する。コンテンツ情報３７０３には顧客の移動端末機へ伝送するコンテンツ内容が含まれており、最終アップデート時間３７０５には当該コンテンツ別に最後にアップデートされた時間が格納される。
【０１９１】
図３８は本発明の第２実施例に係るユーザ情報データベースを示す図である。
【０１９２】
図３８を参照すると、ユーザ情報データベースは、顧客３８０１別に端末機情報３８０３、アプリケーション情報３８０５及び最終アップデート時間３８０７を含む。ここで、端末機情報３８０３は、移動端末機番号、サービス活性化状態などの情報を含む。アプリケーション情報３８０５は、指定アプリケーション応答パケットが構成された待機モードに移動端末機が進入したか否か、コンテンツ伝送要請に対する指定アプリケーション応答パケット構成設定結果、コンテンツ種類、サービス設定環境などの情報を含む。最終アップデート時間３８０７は、コンテンツ別に移動端末機へコンテンツ情報を伝送した最後の時間を意味する。サービス管理サーバーは、この最終アップデート時間と図３７で説明したコンテンツ最終アップデート時間とを比較することにより、コンテンツがアップデートされる度に、最後にアップデートされたコンテンツを移動端末機へ伝送することが可能である。
【実施例３】
【０１９３】
図３９は本発明の第３実施例に係る待機モード用コンテンツを提供するための装置の構成を概略的に示す図である。
【０１９４】
図３９を参照すると、待機モード用コンテンツ提供装置は、移動端末機３９０１、移動通信網３９０３、サービス管理サーバー３９０５、データベース３９０７及びコンテンツ提供サーバー３９０９を含む。
【０１９５】
移動端末機３９０１は、モバイルプラットフォームが搭載されており、本発明に係る待機画面占有代表型アプリケーションを設置することができ、メッセージのやり取りを行うことができる機能を含む。移動端末機３９０１は、移動通信網３９０３を介してサービス管理サーバー３９０５と結合して通信を行い、サービス管理サーバー３９０５からコンテンツ（メッセージ）を受信してメッセージを待機モードで掲示板の形で出力する機能を含む。移動端末機３９０１は、携帯電話、ＰＤＡホーン、スマートホーン、ノートブック、タブレットＰＣなどを含む。
【０１９６】
サービス管理サーバー３９０５は、移動端末機３９０１へ本発明に係る待機画面占有代表型アプリケーションを提供する。また、サービス管理サーバー３９０５は、移動端末機３９０１で設定したコンテンツを提供するコンテンツ提供サーバー３９０９からコンテンツを受信し、掲示用メッセージ及び待機画面イメージに加工して移動通信網３９０３を介して短文メッセージ、マルチメディアメッセージの形態またはセル放送サービスの方式で移動端末機３９０１へ伝送する機能を行う。
【０１９７】
データベース３９０７は、移動端末機３９０１に対するサービス情報及びコンテンツ提供サーバー３９０９から提供されるコンテンツ情報をデータベース化して持っている。このデータベース３９０７は、サービス管理サーバー３９０５に含まれて構成されてもよい。
【０１９８】
コンテンツ提供サーバー３９０９は、既存の移動端末機の様々なコンテンツを提供する機能をそのまま含み、本発明によってコンテンツ情報をサービス管理サーバー３９０５へ提供する機能をさらに含む。また、コンテンツ提供サーバー３９０９は、サービス管理サーバー３９０５と連動してアップデートされたコンテンツ情報をサービス管理サーバー３９０５へ提供する。
【０１９９】
次に、構成を参照して、本発明に係るサービスを提供する方法を概略的に説明する。まず、移動端末機３９０１のユーザは、有無線通信網を介してサービス管理サーバー３９０５に接続して本発明に係るサービスに加入した後、待機画面占有代表型アプリケーションをダウンロードして移動端末機３９０１に設置する。移動端末機３９０１は、待機画面占有代表型アプリケーションを実行して所望のコンテンツを設定することができる。また、待機モードで表示部に出力するイメージをサービス管理サーバー３９０５またはコンテンツ提供サーバー３９０９から受信することができる。その後、サービス管理サーバー３９０５は、移動端末機３９０１で設定したコンテンツを提供するコンテンツ提供サーバー３９０９からコンテンツ情報を受け取り、本発明に係るメッセージの形に加工して移動端末機３９０１へ伝送する。移動端末機３９０１は、受信したメッセージをメモリに格納した後、待機モードで待機画面占有代表型アプリケーションを駆動して、格納されたメッセージを掲示板の形で出力し且つイメージを待機画面に出力する。また、移動端末機３９０１は、予め設定されたシナリオによってフォルダーをオープンし、或いはキー入力によるイベントによってイメージを自動的に変更することができる。また、移動端末機３９０１は、イベントによってサービス管理サーバー３９０５へイメージ変更要請信号を伝送し、これに応答してイメージ変更情報を受信し、イメージ変更情報に基づいて待機画面のイメージを変更することができる。
【０２００】
図４０は本発明の第３実施例に係る待機モード用コンテンツを提供するための移動端末機の構成を示す図である。
【０２０１】
図４０を参照すると、本発明が適用された移動端末機は、制御部（ＣＰＵ）４００１、制御部４００１の制御を受け、移動端末機の各種機能及び動作の入力を担当するキー入力部４００３、表示部４００５、メモリ４００７、音声処理部４００９及び送受信部４０１１を含む。
【０２０２】
制御部４００１は、送受信部４０１１で処理した信号を受け、移動端末機の全般的な動作を制御する。また、ユーザによって設定された環境に応じて、掲示板管理サーバーから受信したコンテンツを表示部４００５、及び音声処理部４００９に連結されたスピーカーを介して再生し得るように制御する。そして、制御部４００１は、備えられる各種構成の制御を行う。
【０２０３】
表示部４００５は、例えば液晶表示装置ＬＣＤなどの表示装置であって、制御部４００１の制御を受け、移動端末機の状態またはプログラムの進行状況を表示する。すなわち、表示部４００５は、移動端末機の全般的な状態及び入力されるユーザ情報などを表示する。また、表示部４００５は、ユーザによって設定された環境に応じて、サービス管理サーバーから受信したコンテンツメッセージを待機状態で出力する機能をさらに含む。
【０２０４】
メモリ４００７には、制御部４００１の動作プログラム、システムプログラムが格納される。動作プログラムまたはシステムプログラムは、通常、含まれたＲＯＭ領域に格納され、必要に応じては消去が可能である。電気的に消去可能なＲＯＭとしては、ＥＥＰＲＯＭやフラッシュメモリなどがある。そして、メモリ４００７は、また、いろいろの動作プログラムの遂行中に発生するデータを一時記憶するＲＡＭを含む。動作プログラムは、本発明に係る待機画面占有代表型アプリケーションを含む。また、メモリ４００７は、サービス管理サーバーから受信したメッセージを格納する機能をさらに含む。
【０２０５】
音声処理部４００９は、マイクロフォンから入力された音声信号を変調して音声データに変換し、送受信部４０１１から入力された音声データ及びメモリ４００７に格納された音声データを音声信号に復調してスピーカーを介して音声として出力する機能を行う。
【０２０６】
送受信部４０１１は、制御部４００１の制御を受け、制御部４００１から出力される信号を無線信号に変換し、アンテナを介して受信される無線信号を所望の信号に変換して出力する機能を行う。
次に、構成を持つ移動端末機においてユーザ設定の環境に応じてコンテンツを再生する方法について説明する。移動端末機のユーザは、サービス管理サーバーから提供する待機画面占有代表型アプリケーションを送受信部４０１１を介してダウンロードし、パーソナルコンピュータとケーブルを介して連結して待機画面占有代表型アプリケーションをメモリ４００７内に格納して設置する。ユーザは、キー入力部４００３の少なくとも一つのキー入力を行うことにより、待機画面占有代表型アプリケーションを実行させてコンテンツを再生する種類、時期、方法などのユーザ環境を設定する。設定過程は、待機画面占有代表型アプリケーションを実行せず、インターネットやＡＲＳなどの有無線通信を介してサービス管理サーバーに接続して行うことができる。移動端末機において、以後コンテンツを再生する時期に、該当する内部イベントまたは外部イベントが発生すると、移動端末機は、サービス管理サーバーからコンテンツを受信し、制御部４００１の制御を受け、受信したコンテンツを表示部４００５及びスピーカーを介して再生する。
【０２０７】
図４１は本発明の第３実施例に係る掲示板サービスを提供するための応用プログラムが設置される端末機のモバイルプラットフォームの構造を示す図である。
【０２０８】
図４１を参照すると、モバイルプラットフォームは、移動通信端末機ハードウェア４１０１、端末機基本ソフトウェア４１０３、ＨＡＬ(Handset Application Layer)４１０５、ランタイムエンジン(Run Time Engine)４１０７、基本ＡＰＩ４１０９、ＡＰＩ管理者４１１１、応用プログラム管理者４１１３、拡張ＡＰＩ４１１５及び応用プログラム４１１７を含む。モバイルプラットフォームは、ＧＶＭ、ＳＫ−ＶＭ、ＫＶＭ、ＭＡＰ、ＢＲＥＷ及びＷＩＰＩを含んで既存のモバイルプラットフォームの機能をそのまま含む。また、モバイルプラットフォームは、本発明に係る待機画面占有代表型アプリケーションが移動通信端末機の待機画面を占有し或いは待機画面占有状態から抜け出る場合、待機画面占有状態をサービス管理サーバーへ伝送する役割をさらに行う。
【０２０９】
移動通信端末機ハードウェア４１０１は、携帯電話、ＰＤＡ、ＰＤＡホーン、スマートホーンなどの携帯可能な全ての移動通信端末または携帯端末を含むことができる。端末機基本ソフトウェア４１０３は、端末機の基本動作のためのソフトウェア、ＬＣＤドライバー、ＫＰＤドライバー及びシリアルドライバーを含む。ＨＡＬ４１０５は、プラットフォームのハードウェア独立性を維持するための抽象化階層であって、上位階層がＨＡＬ４１０５上で移動通信端末機ハードウェア４１０１と端末機基本ソフトウェア４１０３に関係なく動作することが可能な独立性を支援する。
【０２１０】
基本ＡＰＩ４１０９は、応用プログラム開発者が使用するプラットフォームで支援する基本ＡＰＩコレクションである。基本ＡＰＩ４１０９は、Ｃ ＡＰＩ及びＪａｖａ ＡＰＩを含んでいるため、プログラム開発者の便宜を提供することができる。ＡＰＩ管理者４１１１は、プラットフォームの基本ＡＰＩ４１０９と拡張ＡＰＩ４１１５を更新、追加する機能を行う。また、ＡＰＩ管理者４１１１は、応用プログラム管理者４１１３もダウンロードすることが可能な機能を提供する。応用プログラム管理者４１１３は、例えば応用プログラム４１１７の情報表示、ダウンロード、インストール、実行、削除、保安管理などの全般的な管理機能を行う。拡張ＡＰＩ４１１５は、モバイルプラットフォームの標準化が可能な候補であるＡＰＩのコレクションであって、様々なサービス提供のためのＡＰＩコレクションを提供する。  
【０２１１】
応用プログラム４１１７は、モバイルプラットフォームが搭載された端末機に設置され、端末機の環境または端末機の基本ソフトウェアに関係なく動作できるアプリケーションをいう。応用プログラムは、本発明の一実施例に係る待機画面占有代表型アプリケーションを含む。
【０２１２】
次に、構成を参照して、本発明に係るサービスを提供する方法について説明する。まず、移動通信端末機には前述の構成を持つモバイルプラットフォームが搭載されている。移動通信端末機のユーザは、移動通信端末機のキー操作を行うことにより、応用プログラム管理者４１１３を用いて、本発明に係る待機画面占有代表型アプリケーションを移動通信事業者またはサービス管理サーバーからダウンロードする。待機画面占有代表型アプリケーションは、Ｃ言語またはＪａｖａ言語で実現可能である。ユーザは、待機画面占有代表型アプリケーションを実行してコンテンツを再生する環境を設定する。また、ユーザは、待機画面占有代表型アプリケーションを実行して本発明に係るサービスを取り消しまたは変更することができる。一方、ユーザは、本発明に係るサービスを所望しない場合、応用プログラム管理者４１１３を用いて待機画面占有代表型アプリケーションを削除することができる。その後、ユーザによって設定された環境に応じてサービス管理サーバーからコンテンツを受信する場合、移動端末機は、待機画面占有代表型アプリケーションを実行して、受信したコンテンツを再生する。
【０２１３】
図４２は本発明の第３実施例に係るサービス管理サーバーを示す構成図である。
【０２１４】
図４２を参照すると、サービス管理サーバーは、メモリシステム４２２０、ここに結合して高速動作を行う少なくとも一つの中央処理装置(Central Processing Unit：ＣＰＵ)４２１０、入力装置４２３０及び通信装置４２４０を含むことができる。
【０２１５】
中央処理装置４２１０は、計算を行うためのＡＬＵ(Arithmetic Logic Unit)４２１２、データ及び命令語の一時的な格納のためのレジスタ４２１４、及びサービス管理サーバーの動作を制御するためのコントローラー４２１６を含む。中央処理装置４２１０は、デジタル社のアルファ、ＭＩＰＳテクノロジー、ＮＥＣ、ＩＤＴ及びＳｉｅｍｅｎｓ社などのＭＩＰＳ、Ｉｎｔｅｌ、Ｃｙｒｉｘ、ＡＭＤ及びＮｅｘｇｅｎ社のｘ８６、並びにＩＢＭ、Ｍｏｔｏｒｏｌａ社のパワーＰＣなどの様々なアーキテクチャーを持つプロセッサであってもよい。
【０２１６】
メモリシステム４２２０は、一般に、例えばＲＡＭとＲＯＭなどの記憶媒体タイプの高速メインメモリ４２２２と、例えばフロッピーディスク（登録商標）、ハードディスク、テープ、ＣＤ−ＲＯＭ、フラッシュメモリなどの長期記憶媒体タイプの補助メモリ４２２４、及び電気、磁気、光学またはその他の記憶媒体を用いてデータを格納する装置を含む。また、メインメモリ４２２２は、ディスプレイ装置を介してイメージを表示するビデオディスプレイメモリを含むことができる。
【０２１７】
また、入力装置４２３０は、キーボードやマウスなどを含む。マウスは、例えばタッチスクリーンまたはマイクロホーンなどの物理的変換器(physical transducer)などを含むことができる。通信装置４２４０は、コンテンツ提供サーバー及び移動端末機等との通信を行うための通信インターフェースを含む。
【０２１８】
図４３は本発明の第３実施例に係るサービス管理サーバーのモジュール構成図である。
【０２１９】
図４３を参照すると、サービス管理サーバーは、コンテンツ提供サーバー及び移動端末機などの有無線通信を処理するための送受信処理モジュール４３３２、本発明に係るサービスに加入された移動端末機を管理するユーザ端末管理モジュール４３３４、移動端末機で設定したコンテンツを提供するために当該コンテンツ提供サーバーからコンテンツ情報を受信して移動端末機へ伝送する機能を行うコンテンツ管理モジュール４３３６、及びコンテンツを抽出して移動端末機への伝送メッセージに加工するメッセージ生成モジュール４３３８を含むことができる。このような応用モジュールを介して本発明の好適な一実施例に係るサービス管理サーバーの全体的な構成を考察すると、次の通りである。
【０２２０】
サービス管理サーバーは、様々なＯＳ(Operating System)をシステムのＯＳとして使用することができる。このようなＯＳは、ＡＰＩ４３００にハイレベル命令語を提供して各応用モジュール４３３０の動作を制御する。
【０２２１】
サービス管理サーバーは、ＡＰＩ４３００から提供されるハイレベル命令語に基づいて対応する各応用モジュール６３０を識別し、ハイレベル命令語をデコードして該当箇所に提供するハイレベル命令語処理部４３１０を含む。応用モジュール制御部４３２０は、ハイレベル命令語処理部４３１０から提供された命令語に基づいて応用モジュール４３３０の動作を制御する。すなわち、ハイレベル命令語処理部４３１０は、ＡＰＩ４３００を介して提供されたハイレベル命令語に基づき、ここに対応する応用モジュール４３３０が存在するかを識別し、対応する応用モジュール４３３０が存在する場合、該当する応用モジュール４３３０で認識し得る命令語にデコードし、デコードされた命令語を当該マッピング部に伝送し或いはメッセージの伝送を制御する。ここで、応用モジュール４３３０は、送受信処理モジュール４３３２、ユーザ端末管理モジュール４３３４、コンテンツ管理モジュール４３３６、及びメッセージ生成モジュール４３３８を含む。応用モジュール制御部４３２０は、各応用モジュールに対するマッピング部４３２１、４３２３、４３２５、４３２７とインターフェース部４３２２、４３２４、４３２６、４３２８をそれぞれ含む。
【０２２２】
送受信処理モジュールマッピング部４３２１は、ハイレベル命令語処理部４３１０からコンテンツ提供サーバーまたは移動端末機等との有無線通信を行うためのハイレベル命令語を受信し、送受信処理モジュール４３３２で処理することが可能なデバイスレベル命令語にマッピングさせ、それを送受信処理モジュールインターフェース部４３２２を介して送受信処理モジュール４３３２へ提供する。また、送受信処理モジュール４３３２は、必要に応じて、コンテンツ提供サーバーとのデータ送受信のための物理的伝送インターフェースを含むことができる。このような場合、物理的伝送インターフェースは、ＳＳ７音声網連動インターフェースまたはＴＣＰ／ＩＰ網連動インターフェースなどの通信インターフェースを含む。
【０２２３】
ユーザ端末管理モジュール４３３４は、サービスに加入された移動端末機を管理し各移動端末機によるサービス設定内容を格納する部分である。すなわち、ユーザ端末管理モジュールマッピング部４３２３は、ハイレベル命令語処理部４３１０から移動端末機を管理するためのハイレベル命令語を受信し、ユーザ端末管理モジュール４３３４が認識し得るデバイスレベル命令語にマッピングさせ、それをユーザ端末管理モジュールインターフェース部４３２４を介してユーザ端末管理モジュール４３３４へ提供する。
【０２２４】
コンテンツ管理モジュール４３３６は、移動端末機へ適切なメッセージを提供するために、コンテンツ提供サーバーから受信したコンテンツ情報を管理する部分である。すなわち、コンテンツ管理モジュールマッピング部４３２５は、コンテンツ提供サーバーから受信したコンテンツ情報を管理するためのハイレベル命令語をハイレベル命令語処理部４３１０から受け取り、コンテンツ管理モジュール４３３６が認識し得るデバイスレベル命令語にマッピングさせ、それをコンテンツ管理モジュールインターフェース部４３２６を介してコンテンツ管理モジュール４３３６へ提供する。
【０２２５】
メッセージ生成モジュール４３３８は、当該コンテンツを移動端末機へ伝送するメッセージを生成する部分である。すなわち、メッセージ生成モジュールマッピング部４３２７は、移動端末機への伝送メッセージを生成するためのハイレベル命令語をハイレベル命令語処理部４３１０から受け取り、メッセージ生成モジュール４３３８が認識し得るデバイスレベル命令語にマッピングさせ、それをメッセージ生成モジュールインターフェース部４３２８を介してメッセージ生成モジュール４３３８へ提供する。
【０２２６】
図４４は本発明の第３実施例に係る待機画面占有サービス手続きを概略的に示す順序図である。ここで、待機画面占有サービスとは、移動端末機の待機モードでサービス管理サーバーから受信コンテンツ情報（メッセージ）を表示部に出力するサービスをいう。
【０２２７】
図４４を参照すると、本発明に係る待機画面占有サービスへの加入を所望する移動端末機のユーザは、有無線通信網を介してサービス管理サーバーに接続してサービスに加入し（段階４４０１）、移動端末機を介して待機画面占有代表型アプリケーションをダウンロードして移動端末機に設置し、サービス環境を設定する（段階４４０３、段階４４０５）。段階４４０１でのサービス加入手続き及び段階４４０５での設定手続きは、図４５を参照して詳細に説明する。
【０２２８】
次いで、移動端末機は、段階４４０５で設定された環境に応じて、アップデートされるコンテンツをサービス管理サーバーから受信する（段階４４０７）。アップデートされたコンテンツをサービス管理サーバーから受信する手続きは、図４６〜図４９を参照して詳細に説明する。
【０２２９】
その後、移動端末機が待機モードに進入する場合（段階４４０９）、移動端末機は、待機画面占有代表型アプリケーションを駆動し、受信したコンテンツを待機モードで表示する（段階４４１１）。
【０２３０】
図４５は、本発明の第３実施例に係る待機画面占有サービス加入手続き及びサービス環境設定手続きを示す信号流れ図である。
【０２３１】
図４５を参照すると、移動端末機のユーザは、有無線通信網を用いてサービス提供サーバーに接続した後、本発明に係るサービス加入要請信号をサービス提供サーバーへ伝送する（段階４５０１）。サービス提供サーバーは、ユーザーに対するユーザ認証過程を経た後（段階４５０３）、認証が成功すれば、移動端末機へ待機画面占有代表型アプリケーションを伝送する（段階４５０５）。待機画面占有代表型アプリケーションは、ＯＴＡ−ＳＤ(Over The Air Software Download)方式で移動端末機に伝送できる。また、待機画面占有代表型アプリケーションは、パーソナルコンピュータに伝送された後、パーソナルコンピュータと移動端末機とが連結された状態で移動端末機へアップロードされるか、ユーザがサービス提供サーバーまたは通信事業者に直接訪問して移動端末機に設置できる。移動端末機は、待機画面占有代表型アプリケーションを用いてサービス環境を設定するためにサービス設定情報をサービス提供サーバーへ伝送する（段階４５０７）。サービス設定情報は、待機モードで待機画面に出力するイメージ及び待機モードで掲示板の形式で出力するメッセージを提供するコンテンツの種類を示す情報を含む。イメージコンテンツは、タマゴッチなどのエンターテインメント型サービス、メッセンジャーなどのコミューニティ型サービス、及びニュース、天気などの情報型サービスを含む。また、掲示板用メッセージコンテンツは、証券、ニュース、天気、不動産などのコンテンツを含む。段階４５０９で、サービス提供サーバーはサービス設定情報に基づいて移動端末機に対してサービス環境を登録、更新することにより、サービス設定を完了する。また、ユーザは、待機画面占有代表型アプリケーションを実行せず、有無線通信を介してサービス提供サーバーに接続した状態でサービス環境を設定することができるのは勿論である。段階４５０７及び段階４５０９で待機画面占有代表型アプリケーションを実行してサービス環境を設定する過程は、図５６〜図５８を参照して詳細に説明する。
【０２３２】
図４６は本発明の第３実施例に係るアップデートされたコンテンツを移動端末機へ提供する手続きを示す信号流れ図である。
【０２３３】
図４６を参照すると、サービス管理サーバーは、移動端末機へ提供するコンテンツをアップデートするために、一定の周期でコンテンツ提供サーバーへコンテンツ情報要請信号を伝送する（段階４６０１）。コンテンツ提供サーバーは、受信したコンテンツ情報要請信号に相応するコンテンツ情報をサービス管理サーバーへ伝送する（段階４６０３）。サービス管理サーバーは、コンテンツ提供サーバーから受信したコンテンツに基づいてコンテンツをアップデートする（段階４６０５）。その後、移動端末機からコンテンツ情報要請信号を受信する場合（段階４６０７）、サービス管理サーバーは、これに相応するコンテンツ情報を移動端末機へ伝送する（段階４６０９）。この際、コンテンツ情報は、移動端末機で待機画面占有代表型アプリケーションを介して再生することが可能な形に加工され、移動端末機へ伝送される。
【０２３４】
図４７は本発明の第３実施例に係るアップデートされたコンテンツを移動端末機へ提供する手続きを示す信号流れ図である。
【０２３５】
図４７を参照すると、コンテンツ提供サーバーからコンテンツがアップデートされる場合（段階４７０１）、コンテンツ提供サーバーは、アップデートされたコンテンツ情報をサービス管理サーバーへ伝送する（段階４７０３）。サービス管理サーバーは、受信したコンテンツ情報を用いて、データベースに格納されたコンテンツをアップデートする（段階４７０５）。
【０２３６】
その後、ユーザ設定による内部イベントなどによって、移動端末機は、サービス管理サーバーへコンテンツ情報要請信号を伝送する（段階４７０７）。サービス管理サーバーは、受信したコンテンツ情報要請信号に応答して、アップデートされたコンテンツ情報を移動端末機へ伝送する（段階４７０９）。この際、コンテンツ情報は、移動端末機で待機画面占有代表型アプリケーションを介して再生することが可能な形に加工され、移動端末機へ伝送される。
【０２３７】
図４８は本発明の第３実施例に係るアップデートされたコンテンツを移動端末機へ提供する手続きを示す信号流れ図である。
【０２３８】
図４８を参照すると、サービス管理サーバーは、移動端末機へ提供するコンテンツをアップデートするために、一定の周期でコンテンツ提供サーバーへコンテンツ情報要請信号を伝送する（段階４８０１）。コンテンツ提供サーバーは、受信したコンテンツ情報要請信号に相応するコンテンツ情報をサービス管理サーバーへ伝送する（段階４８０３）。サービス管理サーバーは、コンテンツ提供サーバーから受信したコンテンツ情報に基づいてコンテンツをアップデートする（段階４８０５）。
【０２３９】
その後、サービス管理サーバーは、データベースに格納された移動端末機のコンテンツ現況とコンテンツアップデート現況とを比較する（段階４８０７）。この際、コンテンツアップデート時間が顧客移動端末機のコンテンツ現況時間より最新の場合、アップデートされたコンテンツ情報を移動端末機へ伝送する（段階４８０９）。この際、コンテンツ情報は、移動端末機で待機画面占有代表型アプリケーションを介して再生することが可能な形に加工され、移動端末機へ伝送される。
【０２４０】
図４９は本発明の第３実施例に係るアップデートされたコンテンツを移動端末機へ提供する手続きを示す信号流れ図である。
図４９を参照すると、コンテンツ提供サーバーからコンテンツがアップデートされる場合（段階４９０１）、コンテンツ提供サーバーは、アップデートされたコンテンツ情報をサービス管理サーバーへ伝送する（段階４９０３）。サービス管理サーバーは、受信したコンテンツ情報を用いて、データベースに格納されたコンテンツをアップデートする（段階４９０５）。
【０２４１】
その後、サービス管理サーバーは、データベースに格納された移動端末機のコンテンツ現況とコンテンツアップデート現況とを比較する（段階４９０７）。この際、コンテンツアップデート時間が顧客移動端末機のコンテンツ現況時間より最新の場合、アップデートされたコンテンツ情報を移動端末機へ伝送する（段階４９０９）。この際、コンテンツ情報は、移動端末機で待機画面占有代表型アプリケーションを介して再生することが可能な形に加工され、移動端末機へ伝送される。
【０２４２】
図５０は、本発明の第３実施例に係る移動端末機において待機モード用メッセージを表示部に出力する手続きを示す順序図である。
【０２４３】
図５０を参照すると、通話が終了する場合、キー入力部の終了ボタンが入力される場合、または一定の時間キー入力がない場合、移動端末機は待機モードに進入する（段階５００１）。待機モードで、移動端末機は、制御部の制御を受け、待機画面占有代表型アプリケーションを駆動する（段階５００３）。待機画面占有代表型アプリケーションは、予め設定された待機画面イメージを表示部に出力し、サービス管理サーバーから受信したメッセージを掲示板の形で表示部に出力する（段階５００５）。段階５００５でメッセージを掲示板の形で表示部に出力する過程は図５１を参照して、イメージを表示部に出力する過程は図５２を参照して詳細に説明する。
【０２４４】
待機モードでエージェントキーが入力されると（段階５００７）、移動端末機は、待機画面占有代表型アプリケーションが活性化されるインタラクティブモードに進入する（段階５００９）。エージェントキーは、待機画面占有代表型アプリケーションを設置すれば自動的に生成され、待機モードでエージェントキーを除いた残りのキーの機能は一般待機モードのキーと同様である。段階５００９のインタラクティブモードでの待機画面占有代表型アプリケーションの作動過程は、図５３を参照して詳細に説明する。
【０２４５】
インタラクティブモードでエージェントキーが入力されると、移動端末機はさらに待機モードに戻って段階５００５を行う。
【０２４６】
図５１は本発明の第３実施例に係る掲示用メッセージを移動端末機の表示部に出力する手続きを示す順序図である。
【０２４７】
図５１を参照すると、通話が終了する場合、キー入力部の終了ボタンが入力される場合、または一定の時間キー入力がない場合、移動端末機は待機モードに進入する（段階５１０１）。待機モードで、移動端末機は、制御部の制御を受け、待機画面占有代表型アプリケーションを駆動し、メモリに格納された掲示用メッセージを抽出する（段階５１０３）。ここで、掲示用メッセージは、メッセージヘッダー、メッセージ掲示内容、及びメッセージ細部内容を含む。移動端末機は、表示部の一定部分である掲示板領域にメッセージ掲示内容をスライド形式で表示する（段階５１０５）。その後、移動端末機のキー入力部からエージェントキーが入力されて待機画面占有代表型アプリケーションが活性化され、少なくとも一つのキーが入力されて細部内容表示イベントが発生すると（段階５１０７）、移動端末機は、メッセージ細部内容を表示部に出力する（段階５１０９）。
【０２４８】
図５２は本発明の第３実施例に係る待機画面イメージを表示部に出力し、変更するための手続きを示す順序図である。
【０２４９】
図５２を参照すると、通話が終了する場合、キー入力部の終了ボタンが入力される場合、または一定の時間キー入力がない場合、移動端末機は待機モードに進入する（段階５２０１）。待機モードで、移動端末機は、待機画面占有代表型アプリケーションを駆動し、待機画面イメージが設定されているか否かを判断する（段階５２０３）。待機画面イメージが設定されていなければ、段階５２０５が行われ、待機画面イメージが設定されていれば、段階５２０７が行われる。段階５２０５で、移動端末機は基本待機画面として設定された画面を表示部に出力する。
【０２５０】
段階５２０７で、移動端末機は既に設定されたイメージを表示部に出力する。ここで、イメージは、本発明に係るサービス管理サーバーまたはコンテンツ提供サーバーから伝送され、待機画面占有代表型アプリケーションのイメージとして設定されて格納されたものである。段階５２０９及び段階５２１１で、端末機のフォルダーがオープンされるか、少なくとも一つのキーが入力されるか、或いはアラームまたはタイマーなどの内部イベントが発生すると、移動端末機は、内部シナリオによってイメージを自動的に変更して出力する。また、内部イベントに従って、移動端末機は、サービス管理サーバーへイメージ変更要請信号を伝送し、これに応答してイメージ変更メッセージを受信すると、イメージを変更して出力する。
【０２５１】
図５３は本発明の第３実施例に係るインタラクティブモードでの待機画面占有代表型アプリケーション実行手続きを示す順序図である。
【０２５２】
図５３を参照すると、移動端末機に待機画面占有代表型アプリケーションが設置されると、移動端末機は、待機モードでエージェントキーを生成し、エージェントキーが入力されると（段階５３０１）、待機画面占有代表型アプリケーションを活性化してインタラクティブモードで動作する（段階５３０３）。インタラクティブモードでは、移動端末機のユーザは所望のメッセージを選択して詳細な情報を見ることができ、当該コンテンツアプリケーションを直接駆動し、或いは当該コンテンツを提供するサーバーに自動的に接続することができる。
【０２５３】
インタラクティブモードで少なくとも一つのキーを入力してイメージ領域または掲示板領域を活性化する（段階５３０５）。イメージ領域または掲示板領域が活性化されて確認ボタンが入力されると（段階５３０７）、移動端末機は、当該コンテンツアプリケーションを駆動する（段階５３０９）。コンテンツアプリケーション駆動の例としてイメージが選択されると、イメージを提供するコンテンツ提供サーバーへ自動的に接続でき、掲示板領域に掲示されているメッセージが選択されると、詳細情報を表示し、もう１回確認ボタンが入力されると、当該コンテンツを提供するサーバーに自動的に接続できる。当該コンテンツアプリケーションを終了し（段階５３１１）、インタラクティブモードでエージェントキーまたは終了ボタンが入力されると、移動端末機はさらに待機モードに戻る（段階５３１３）。
【０２５４】
図５４は本発明の第３実施例に係るメッセージの構造を示す図である。
【０２５５】
図５４を参照すると、移動端末機がサービス管理サーバーから受信するメッセージは、メッセージヘッダー５４０１、メッセージ掲示内容５４０３、及びメッセージ細部内容５４０５を含む。メッセージヘッダー５４０１は、本発明に係るサービスに関連した様々な情報を含む。ここで、様々な情報の例としては、Ｔｅｌｅｓｖｃ−ｉｄ、格納時間、コンテンツ種類、コールバック用ＵＲＬアドレスなどを挙げることができる。移動端末機は、メッセージを受信すると、Ｔｅｌｅｓｖｃ−ｉｄが存在するか否かを判断し、Ｔｅｌｅｓｖｃ−ｉｄがあれば、本発明に係るメッセージと判断し、Ｔｅｌｅｓｖｃ−ｉｄがなければ、一般メッセージと判断する。ここで、メッセージヘッダー５４０１に含まれたコンテンツの種類が高い重要度に分類される場合には、移動端末機は、メッセージ詳細内容５４０５を直ちに表示部に出力する。メッセージがイメージ変更メッセージの場合には、自動的にイメージを変更することができ、当該アプリケーションを自動的に実行することができる。
【０２５６】
本発明に係るメッセージを受信した移動端末機は、メッセージ受信を表示部に出力せず、メッセージをメモリに格納した後、待機モードでメッセージ掲示内容５４０３を表示部の掲示板領域に出力する。メッセージ掲示内容１７０３が出力されている状態で詳細表示イベントが発生すると、移動端末機は、メッセージ細部内容５４０５を表示部に出力し、或いはコールバック用ＵＲＬアドレスに基づいてコンテンツ提供サーバーまたはサービス管理サーバーに接続して詳細な内容を表示部に出力することができる。一方、移動端末機は、格納時間に表示された時間だけメモリに格納した後、格納時間が経つと、自動的にメッセージを削除する。
【０２５７】
図５５は本発明の第３実施例に係る移動端末機で受信メッセージを処理する手続きを示す順序図である。
【０２５８】
図５５を参照すると、まず、移動端末機は、メッセージを受信すると（段階５５０１）、受信したメッセージが本発明に係る待機画面占有代表型アプリケーションのためのメッセージであるか否かを判断する（段階５５０３）。判断の結果、受信したメッセージが待機画面占有代表型アプリケーションのためのメッセージであれば、段階５５０７が行われ、受信したメッセージが一般メッセージであれば、段階５５０５が行われる。段階５５０５で、移動端末機は、メッセージ受信をアラームまたは表示部への出力によってユーザに知らせ、一般メッセージ受信処理手続きに従う。段階５５０７で、移動端末機は、メッセージを待機画面占有代表型アプリケーションを駆動し（段階５５０９）、メッセージが掲示用メッセージなのかイメージ変更のためのメッセージなのかを判断する（段階５５１１）。判断の結果、メッセージが掲示用メッセージであれば、段階５５１７が行われ、メッセージがイメージ変更メッセージであれば、段階５５１３が行われる。段階５５１３で、移動端末機は、イメージ変更メッセージに基づいて設定されたイメージを変更し、変更されたイメージを表示部に出力する（段階５５１５）。
【０２５９】
段階５５１７で、移動端末機は、掲示用メッセージのメッセージ掲示内容を表示部の掲示板領域に出力する。ここで、掲示用メッセージが複数の場合、メッセージ掲示内容をスライド方式によって出力する。移動端末機の少なくとも一つのキー入力による細部内容表示イベントが発生すると（段階５５１９）、移動端末機は、掲示板領域に出力されているメッセージに対する細部内容を表示部に出力する（段階５５２１）。
【０２６０】
図５６〜図５８は、本発明の第３実施例に係る待機画面占有代表型アプリケーションを設定する手続きを示す移動端末機の画面例示図である。
【０２６１】
図５６〜図５８を参照すると、移動端末機は、サービス管理サーバーから待機画面占有代表型アプリケーションをダウンロードして設置し、待機画面占有代表型アプリケーションを実行すると、待機画面占有サービス画面５６０１を表示部に出力する。待機画面占有サービス画面５６０１は、イメージ設定項目及び掲示板（チッカー）設定項目を含む。イメージ設定項目は、待機画面に出力するイメージを設定するための項目であり、掲示板設定項目は、掲示板領域に出力するメッセージの種類を設定するための項目である。
【０２６２】
移動端末機のユーザが待機画面占有サービス画面５６０１からイメージ設定項目を選択して確認ボタンを入力すると、移動端末機は、イメージ設定画面５７０３を表示部に出力する。イメージ設定画面５７０３は、イメージビュアー、エンターテインメント、コミュニケーション、情報項目を含むことができる。ここで、イメージビュアーはユーザが設定したイメージを見るためのものであり、エンターテインメントはタマゴッチなどのゲーム型サービスであり、コミュニケーションはメッセンジャー、メール、チャットなどの対話型サービスであり、情報項目は証券、ショッピングリストなどの情報サービスを意味する。
【０２６３】
待機画面占有サービス画面５６０１から掲示板設定項目が選択されて確認ボタンが入力されると、移動端末機は、掲示板設定画面５８０５を表示部に出力する。移動端末機のユーザは、掲示板設定画面５８０５において、待機モードで掲示板領域に出力するコンテンツの種類を設定することができる。
【０２６４】
次に、図５９〜図６１を参照して本発明に係るサビースの例を説明する。
【０２６５】
図５９は本発明の第３実施例に係る待機画面占有代表型アプリケーションが設置される前の移動端末機の待機モードでの表示部及びキー入力部を示す図である。
【０２６６】
図５９を参照すると、待機画面占有代表型アプリケーションが設置されていない移動端末機は、待機モードで基本待機画面制御プログラムの制御を受け、ユーザによって設定された待機画面５９０１を表示部に出力する。また、待機モードで、キー入力部５９０３のそれぞれのキーは既存の待機モードで持つそれぞれの機能をそのまま持つ。
【０２６７】
図６０は本発明の第３実施例に係る待機画面占有代表型アプリケーションが設置された移動端末機の待機モードでの表示部及びキー入力部を示す図である。
【０２６８】
図６０を参照すると、移動端末機は、待機画面占有代表型アプリケーションをダウンロードして設置すると、待機モードでイメージ領域６００５、掲示板領域６００７及びエージェントキー領域６００９を区分して表示部に出力する。エージェントキー領域６００９は、待機画面占有代表型アプリケーションを設置しながら生成されたものである。イメージ領域６００５には、待機画面イメージとして設定されたイメージが出力され、掲示板領域６００７には、受信してメモリに格納された掲示用メッセージがスライド形式で出力される。待機モードでの移動端末機のキー入力部６０１１において、確認ボタンは待機画面占有代表型アプリケーションを活性化させるエージェントキーを入力するためのものであり、確認ボタン以外の残りのボタンは既存の待機画面で持つ機能をそのまま持っている。
【０２６９】
図６１は本発明の第３実施例に係るインタラクティブモードでの移動端末機の表示部及びキー入力部を示す図である。
【０２７０】
図６１を参照すると、移動端末機は、待機モードでエージェントキーが入力されると、待機画面占有代表型アプリケーションが活性化されるインタラクティブモードで、イメージ領域及び掲示板領域を含むエージェントサービス画面６１１３を表示部に出力する。エージェントサービス画面６１１３は、イメージ領域または掲示板領域のいずれか一つが活性化されている。また、イメージ領域または掲示板領域の活性化された領域を変えるためには、少なくとも一つのキー（例えば、メニューボタン）を入力しなければならない。インタラクティブモードで、キー入力部６１１５のボタンは待機画面占有代表型アプリケーションを実行するために定義されたそれぞれの機能を行う。一方、キー入力部６１１５の確認ボタンは、エージェントキーを入力するためのものである。エージェントキーが入力されると、移動端末機は待機モードに戻る。
【０２７１】
図６２は本発明の第３実施例に係るコンテンツリストデータベースを示す図である。
【０２７２】
図６２を参照すると、コンテンツリストデータベースは、サービス管理サーバーから移動端末機へ提供するコンテンツ情報を格納したものであって、コンテンツリストデータベースは、コンテンツサーバー６２０１別にコンテンツ情報６２０３及び最終アップデート時間６２０５を含む。この際、コンテンツサーバー６２０１は、コンテンツ提供サーバーを意味し、或いはコンテンツ提供サーバーから２つ以上のコンテンツを提供する場合には各コンテンツを意味する。コンテンツ情報６２０３には、顧客の移動端末機へ伝送するコンテンツ内容が含まれており、最終アップデート時間６２０５には、当該コンテンツ別に最後にアップデートされた時間が格納される。
【０２７３】
図６３は本発明の第３実施例に係るユーザ情報データベースを示す図である。
【０２７４】
図６３を参照すると、ユーザ情報データベースは、顧客６３０１別に端末機情報６３０３、アプリケーション情報６３０５及び最終アップデート時間６３０７を含む。ここで、端末機情報６３０３は、移動端末機の番号、サービス活性化状態などの情報を含む。アプリケーション情報６３０５は、移動端末機における待機画面占有代表型アプリケーションの待機占有設定有無、コンテンツの種類、サービス設定環境などの情報を含む。最終アップデート時間６３０７は、コンテンツ別に移動端末機へコンテンツ情報を伝送した最後の時間を意味する。サービス管理サーバーは、この最終アップデート時間と図６２で説明したコンテンツ最終アップデート時間とを比較することにより、コンテンツがアップデートされる度に、最後にアップデートされたコンテンツ情報を移動端末機へ伝送することが可能である。
【０２７５】
本発明は、これらの実施例に限定されず、当該分野における通常の知識を有する者であれば、本発明の思想内において各種変形を加え得るのは勿論である。
【図面の簡単な説明】
【０２７６】
【図１】図１は従来の技術に係る移動端末機における待機画面処理手続きを示す順序図である。
【図２】移動端末機における待機モード用インタラクティブコンテンツの再生方法を概略的に示す順序図である。
【図３】本発明の第１実施例に係る待機画面占有サービスを提供するための装置の構成を概略的に示す図である。
【図４】本発明の第１実施例に係る待機画面占有サービスを提供するための移動端末機の構成を示す図である。
【図５】本発明の第１実施例に係る待機画面占有サービスを提供するための応用プログラムが設置される端末機のモバイルプラットフォームの構造を示す図である。
【図６】本発明の第１実施例に係るサービス管理サーバーを示す構成図である。
【図７】本発明の第１実施例に係るサービス管理サーバーのモジュール構成図である。
【図８】本発明の第１実施例に係る待機画面占有サービス手続きを示す順序図である。
【図９】本発明の第１実施例に係る待機画面占有サービス加入手続き及びサービス環境設定手続きを示す信号流れ図である。
【図１０】本発明の第１実施例に係る待機画面占有サービス手続きを示す信号流れ図である。
【図１１】本発明の第１実施例に係る掲示用メッセージを移動端末機の表示部に出力する手続きを示す順序図である。
【図１２】本発明の第１実施例に係る待機画面イメージを表示部に出力し変更するための手続きを示す順序図である。
【図１３】本発明の第１実施例に係るインタラクティブモードでの待機画面占有代表型アプリケーション実行手続きを示す順序図である。
【図１４】本発明の第１実施例に係るメッセージの構造を示す図である。
【図１５】本発明の第１実施例に係る移動端末機で受信メッセージを処理する手続きを示す順序図である。
【図１６】本発明の第１実施例に係る待機画面占有代表型アプリケーションを設定する手続きを示す移動端末機の画面例示図である。
【図１７】本発明の第１実施例に係る待機画面占有代表型アプリケーションを設定する手続きを示す移動端末機の画面例示図である。
【図１８】本発明の第１実施例に係る待機画面占有代表型アプリケーションを設定する手続きを示す移動端末機の画面例示図である。
【図１９】本発明の第１実施例に係る移動端末機の表示部及びキー入力部の例示を示す図である。
【図２０】本発明の第１実施例に係る移動端末機の表示部及びキー入力部の例示を示す図である。
【図２１】本発明の第１実施例に係る移動端末機の表示部及びキー入力部の例示を示す図である。
【図２２】本発明の第２実施例に係る待機モード用コンテンツを提供するための装置の構成を概略的に示す図である。
【図２３】本発明の第２実施例に係る待機モード用コンテンツを提供するための移動端末機の構成を示す図である。
【図２４】本発明の第２実施例に係る指定アプリケーション情報を提供するための応用プログラムが設置される端末機の端末機プラットフォームの構造を示す図である。
【図２５】本発明の第２実施例に係るサービス管理サーバーを示す構成図である。
【図２６】本発明の第２実施例に係るサービス管理サーバーのモジュール構成図である。
【図２７】本発明の第２実施例に係る指定アプリケーション自動構成サービス手続きを概略的に示す順序図である。
【図２８】本発明の第２実施例に係る指定アプリケーション情報提供手続きを示す信号流れ図である。
【図２９】は本発明の第２実施例に係るアップデートされたコンテンツをショートカット機能活用の指定アプリケーション情報として移動端末機に提供する手続きを示す信号流れ図である。
【図３０】本発明の第２実施例に係る移動端末機で指定アプリケーションを自動的に駆動して待機画面を占有する過程を示す順序図である。
【図３１】本発明の第２実施例に係る待機画面占有代表型アプリケーションが設置される前の移動端末機の待機モードでの表示部及びキー入力部を示す図である。
【図３２】本発明の第２実施例に係る待機画面占有アプリケーションコンテンツが設置された移動端末機の待機モードでの表示部及びキー入力部を示す図である。
【図３３】本発明の第２実施例に係るダウンロードしたアプリケーションリスト出力モードでの移動端末機の表示部及びキー入力部を示す図である。
【図３４】本発明の第２実施例に係る当該コンテンツディスプレイモードでの移動端末機の表示部及びキー入力部を示す図である。
【図３５】本発明の第２実施例に係る指定アプリケーション応答パケットが構成された待機モード進入状態での移動端末機の表示部及びキー入力部を示す図である。
【図３６】本発明の第２実施例に係る指定アプリケーション自動駆動状態での移動端末機の表示部及びキー入力部を示す図である。
【図３７】本発明の第２実施例に係るコンテンツデータベースを示す図である。
【図３８】本発明の第２実施例に係るユーザ情報データベースを示す図である。
【図３９】は本発明の第３実施例に係る待機モード用コンテンツを提供するための装置の構成を概略的に示す図である。
【図４０】は本発明の第３実施例に係る待機モード用コンテンツを提供するための移動端末機の構成を示す図である。
【図４１】本発明の第３実施例に係る掲示板サービスを提供するための応用プログラムが設置される端末機のモバイルプラットフォームの構造を示す図である。
【図４２】本発明の第３実施例に係るサービス管理サーバーを示す構成図である。
【図４３】本発明の第３実施例に係るサービス管理サーバーのモジュール構成図である。
【図４４】本発明の第３実施例に係る待機画面占有サービス手続きを概略的に示す順序図である。
【図４５】本発明の第３実施例に係る待機画面占有サービス加入手続き及びサービス環境設定手続きを示す信号流れ図である。
【図４６】本発明の第３実施例に係るアップデートされたコンテンツを移動端末機へ提供する手続きを示す信号流れ図である。
【図４７】は本発明の第３実施例に係るアップデートされたコンテンツを移動端末機へ提供する手続きを示す信号流れ図である。
【図４８】本発明の第３実施例に係るアップデートされたコンテンツを移動端末機へ提供する手続きを示す信号流れ図である。
【図４９】本発明の第３実施例に係るアップデートされたコンテンツを移動端末機へ提供する手続きを示す信号流れ図である。
【図５０】本発明の第３実施例に係る移動端末機の表示部に待機モード用メッセージを出力する手続きを示す順序図である。
【図５１】本発明の第３実施例に係る掲示用メッセージを移動端末機の表示部に出力する手続きを示す順序図である。
【図５２】本発明の第３実施例に係る待機画面イメージを表示部に出力し変更するための手続きを示す順序図である。
【図５３】は本発明の第３実施例に係るインタラクティブモードでの待機画面占有代表型アプリケーション実行手続きを示す順序図である。
【図５４】本発明の第３実施例に係るメッセージの構造を示す図である。
【図５５】本発明の第３実施例に係る移動端末機で受信メッセージを処理する手続きを示す順序図である。
【図５６】本発明の第３実施例に係る待機画面占有代表型アプリケーションを設定する手続きを示す移動端末機の画面例示図である。
【図５７】本発明の第３実施例に係る待機画面占有代表型アプリケーションを設定する手続きを示す移動端末機の画面例示図である。
【図５８】本発明の第３実施例に係る待機画面占有代表型アプリケーションを設定する手続きを示す移動端末機の画面例示図である。
【図５９】本発明の第３実施例に係る待機画面占有サービスを説明するための画面例示図である。
【図６０】本発明の第３実施例に係る待機画面占有サービスを説明するための画面例示図である。
【図６１】本発明の第３実施例に係る待機画面占有サービスを説明するための画面例示図である。
【図６２】本発明の第３実施例に係るコンテンツリストデータベースを示す図である。
【図６３】本発明の第３実施例に係るユーザ情報データベースを示す図である。
【図１】
2008501258.tif 000003
【図２】
2008501258.tif 000004
【図３】
2008501258.tif 000005
【図４】
2008501258.tif 000006
【図５】
2008501258.tif 000007
【図６】
2008501258.tif 000008
【図７】
2008501258.tif 000009
【図８】
2008501258.tif 000010
【図９】
2008501258.tif 000011
【図１０】
2008501258.tif 000012
【図１１】
2008501258.tif 000013
【図１２】
2008501258.tif 000014
【図１３】
2008501258.tif 000015
【図１４】
2008501258.tif 000016
【図１５】
2008501258.tif 000017
【図１６】
2008501258.tif 000018
【図１７】
2008501258.tif 000019
【図１８】
2008501258.tif 000020
【図１９】
2008501258.tif 000021
【図２０】
2008501258.tif 000022
【図２１】
2008501258.tif 000023
【図２２】
2008501258.tif 000024
【図２３】
2008501258.tif 000025
【図２４】
2008501258.tif 000026
【図２５】
2008501258.tif 000027
【図２６】
2008501258.tif 000028
【図２７】
2008501258.tif 000029
【図２８】
2008501258.tif 000030
【図２９】
2008501258.tif 000031
【図３０】
2008501258.tif 000032
【図３１】
2008501258.tif 000033
【図３２】
2008501258.tif 000034
【図３３】
2008501258.tif 000035
【図３４】
2008501258.tif 000036
【図３５】
2008501258.tif 000037
【図３６】
2008501258.tif 000038
【図３７】
2008501258.tif 000039
【図３８】
2008501258.tif 000040
【図３９】
2008501258.tif 000041
【図４０】
2008501258.tif 000042
【図４１】
2008501258.tif 000043
【図４２】
2008501258.tif 000044
【図４３】
2008501258.tif 000045
【図４４】
2008501258.tif 000046
【図４５】
2008501258.tif 000047
【図４６】
2008501258.tif 000048
【図４７】
2008501258.tif 000049
【図４８】
2008501258.tif 000050
【図４９】
2008501258.tif 000051
【図５０】
2008501258.tif 000052
【図５１】
2008501258.tif 000053
【図５２】
2008501258.tif 000054
【図５３】
2008501258.tif 000055
【図５４】
2008501258.tif 000056
【図５５】
2008501258.tif 000057
【図５６】
2008501258.tif 000058
【図５７】
2008501258.tif 000059
【図５８】
2008501258.tif 000060
【図５９】
2008501258.tif 000061
【図６０】
2008501258.tif 000062
【図６１】
2008501258.tif 000063
【図６２】
2008501258.tif 000064
【図６３】
2008501258.tif 000065
【国際調査報告】
2008501258.tif 000066